(57)【要約】    【課題】表示ノイズを低減させた高品質な画像を表示することが可能な表示パネルの駆動方法を提供することを目的とするものである。    【解決手段】フレーム表示期間内において連続して配置された夫々Ｍ個（Ｍは２以上の整数）のサブフィールドからなる特定サブフィールド群及びこの特定サブフィールド群に後続する後続サブフィールド群の内の後続サブフィールド群内では、画素セルの状態を点灯モード及び消灯モードの内の一方の状態から他方の状態に遷移させるべき１のサブフィールドを隣接したＭ個の表示ラインからなる表示ライン各々毎に異ならせる第１処理を実行し、特定サブフィールド群内ではこの特定サブフィールド群内の所定のサブフィールドのみで画素セルの状態を上記一方の状態から他方の状態に遷移させる第２処理、及び上記第１処理の内のいずれか一方を実行する。    【選択図】  図５
2006047970.tif 000002
【特許請求の範囲】
【請求項１】
各表示ラインに画素を担う複数の画素セルが配列されている表示パネルを、映像信号に基づく各画素に対応した画素データに応じてフレーム表示期間内における複数のサブフィールド毎に階調駆動する表示パネルの駆動方法であって、
前記画素データに応じて前記フレーム表示期間内における１の前記サブフィールドのみで前記画素セルの状態を点灯モード及び消灯モードの内の一方の状態から他方の状態に遷移させ、前記サブフィールド各々において前記点灯モードの状態にある前記画素セルのみを当該サブフィールドに割り当てられている発光回数だけ発光維持させるにあたり、
前記フレーム表示期間内において連続して配置された夫々Ｍ個（Ｍは２以上の整数）のサブフィールドからなる特定サブフィールド群及び前記特定サブフィールド群に後続する後続サブフィールド群の内の前記後続サブフィールド群内では、前記画素セルの状態を前記一方の状態から前記他方の状態に遷移させるべき前記１のサブフィールドを隣接したＭ個の表示ライン各々毎に異ならせる第１処理を実行し、
前記特定サブフィールド群内では当該特定サブフィールド群内の所定の前記サブフィールドのみで前記画素セルの状態を前記一方の状態から前記他方の状態に遷移させる第２処理、及び前記第１処理の内のいずれか一方を実行することを特徴とする表示パネルの駆動方法。
【請求項２】
前記特定サブフィールド群内では、前記映像信号にて示される輝度レベルが所定輝度レベルである場合には前記第２処理を実行する一方、前記映像信号にて示される輝度レベルが前記所定輝度レベルよりも１段階だけ高輝度な輝度レベルである場合には前記第１処理を実行することを特徴とする請求項１記載の表示パネルの駆動方法。
【請求項３】
前記フレーム表示期間内において前記サブフィールド各々に割り当てられている前記発光回数の合計数に応じて、前記特定サブフィールド群の前記フレーム表示期間内における位置を変更することを特徴とする請求項１記載の表示パネルの駆動方法。
【請求項４】
前記フレーム表示期間内における前記特定サブフィールド群の直前には先頭のサブフィールドを含む夫々隣接した複数のサブフィールドからなる先頭サブフィールド群が配置されており、
前記合計数が所定値よりも小である場合には大である場合に比して前記先頭サブフィールド群内のサブフィールドの数が多いことを特徴とする請求項３記載の表示パネルの駆動方法。
【請求項５】
前記映像信号にて示される輝度レベルが前記所定輝度レベルよりも大なる場合には、前記先頭サブフィールド群、前記特定サブフィールド群及び前記後続サブフィールド群各々に属する前記サブフィールド各々の内で前記映像信号にて示される輝度レベルに対応した数の連続したサブフィールド各々において前記画素セルを発光維持させることを特徴とする請求項２記載の表示パネルの駆動方法。
【請求項６】
前記映像信号にて示される輝度レベルが前記所定輝度レベルよりも１段階だけ高輝度な輝度レベルである場合には前記特定サブフィールド群内において前記画素セルを連続して発光維持させる前記サブフィールドの数が隣接したＭ個の前記表示ライン各々毎に異なる一方、
前記映像信号にて示される輝度レベルが前記所定輝度レベル以下である場合には前記特定サブフィールド群内において前記画素セルを連続して発光維持させる前記サブフィールドの数は、隣接したＭ個の前記表示ライン各々毎に同一であることを特徴とする請求項２記載の表示パネルの駆動方法。
【請求項７】
前記映像信号にて示される輝度レベルが前記所定輝度レベル以下の場合には前記特定サブフィールド群内の全ての前記サブフィールドにおいて一律に前記画素セルを前記点灯モード及び前記消灯モードの内の一方に設定する一方、
前記映像信号にて示される輝度レベルが前記所定輝度レベルよりも大なる場合には前記特定サブフィールド群及び前記後続サブフィールド群に属する一連のサブフィールド各々の内で前記輝度レベルに応じた数の連続したサブフィールド各々において前記画素セルを前記点灯モードに設定することを特徴とする請求項２記載の表示パネルの駆動方法。
【請求項８】
前記フレーム表示期間内において先頭の前記サブフィールドを除く各サブフィールドにおいて、前記点灯モードの状態にある前記画素セルのみを当該サブフィールドに割り当てられている発光回数だけ発光維持させるサスティン行程と、前記画素データに応じて前記画素セルを前記点灯モード及び前記消灯モードの内の一方の状態に設定するアドレス行程と、を順次実行することを特徴とする請求項１記載の表示パネルの駆動方法。
【請求項９】
前記特定サブフィールド群及び前記後続サブフィールド群内の前記サブフィールド各々において、
前記点灯モードの状態にある前記画素セルのみを当該サブフィールドに割り当てられている発光期間に亘り発光維持させるサスティン行程と、
前記画素データに応じて前記画素セルを前記点灯モード及び前記消灯モードの内の一方の状態に設定するアドレス行程と、を順次実行することを特徴とする請求項２記載の表示パネルの駆動方法。
【請求項１０】
前記映像信号にて示される輝度レベルが前記所定輝度レベルである場合には前記特定サブフィールド群内の最後尾の前記サブフィールドのみで前記画素セルの状態を前記点灯モードの状態から前記消灯モードの状態に遷移させる一方、
前記映像信号にて示される輝度レベルが前記所定輝度レベルよりも大である場合には前記特定サブフィールド群及び前記後続サブフィールド群内のサブフィールド各々の内の１のサブフィールドのみで前記画素セルを前記点灯モードの状態から前記消灯モードの状態に遷移させることを特徴とする請求項１記載の表示パネルの駆動方法。
【請求項１１】
前記映像信号が前記所定輝度レベルよりも高輝度を表す場合には前記映像信号によって表される輝度レベルよりも高輝度な輝度レベルを表す画素データに応じて前記表示パネルを駆動することを特徴とする請求項１記載の表示パネルの駆動方法。
【請求項１２】
隣接する前記表示ライン各々に属する前記画素セル各々に対応した前記画素データの各々に夫々異なるオフセットデータを加算すると共に、前記表示パネルの左右上下方向に隣接する複数の画素セルからなる画素セル群内の各画素位置に対応したディザ値を前記画素セル群内の各画素に対応した前記画素データ各々に加算することを特徴とする請求項１１記載の表示パネルの駆動方法。
【請求項１３】
前記オフセットデータは前記映像信号が前記所定輝度レベルより高輝度な場合に加算されることを特徴とする請求項１２記載の表示パネルの駆動方法。
【請求項１４】
前記映像信号が前記所定輝度レベルより高輝度な場合には前記ディザ値を増加することを特徴とする請求項１２記載の表示パネルの駆動方法。、
【請求項１５】
前記フレーム表示期間内における先頭のサブフィールドのみで全ての前記画素セルを前記点灯モードに初期化し、前記サブフィールド各々の内の１のサブフィールドのみで前記画素セルを前記点灯モードの状態から前記消灯モードの状態に遷移させることを特徴とする請求項８記載の表示パネルの駆動方法。
【請求項１６】
前記第２処理が、前記特定サブフィールド群内の最後尾の前記サブフィールドのみで実行されることを特徴とする請求項２記載の表示パネルの駆動方法。
【発明の詳細な説明】
【技術分野】
【０００１】
表示パネルの駆動方法に関する。
【背景技術】
【０００２】
最近、２次元画像表示パネルとして、複数の放電セルがマトリクス状に配列されたプラズマディスプレイパネル（以下、ＰＤＰという）が注目されている。更に、かかるＰＤＰにて入力映像信号に対応した画像を表示させる為の駆動方法としてサブフィールド法が知られている。サブフィールド法では、１フィールドの表示期間を複数のサブフィールドに分割し、入力映像信号によって表される輝度レベルに応じて放電セルの各々を各サブフィールド毎に選択的に放電発光させる。これにより、１フィールド期間内での総発光期間に対応した中間輝度が視覚されるのである。
【０００３】
図１は、かかるサブフィールド法に基づく発光駆動シーケンスの一例を示す図である（例えば、特許文献１の図１４参照)。
【０００４】
図１に示す発光駆動シーケンスでは、１フィールド期間をサブフィールドＳＦ１〜ＳＦ１４なる１４個のサブフィールドに分割している。これらＳＦ１〜ＳＦ１４の内の先頭のサブフィールドＳＦ１のみで、ＰＤＰの全放電セルを点灯モードに初期化せしめる（Ｒc）。又、サブフィールドＳＦ１〜ＳＦ１４各々では、入力映像信号に応じて放電セルを消灯モードに設定し（Ｗｃ）、点灯モードに設定されている放電セルのみをこのサブフィールドに割り当てられている期間に亘り放電発光させる（Ｉｃ）。
【０００５】
図２は、かかる発光駆動シーケンスに基づいて駆動される各放電セルの１フィールド期間内での発光駆動パターンの一例を示す図である（例えば、特許文献１の図２８参照)。
【０００６】
図２に示す発光パターンによれば、先頭のサブフィールドＳＦ１において点灯モードに初期化された放電セルは、黒丸印にて示す如く、ＳＦ１〜ＳＦ１４の内のいずれか１のサブフィールドで消灯モードに設定され、それ以降、点灯モードに復帰することはない。よって、消灯モードに設定されるまでの間、白丸印にて示されるように、放電セルは各サブフィールドにおいて連続して放電発光する。この際、図２に示す１５通りの発光パターンの各々は１フィールド期間内での総発光期間が夫々異なるので、１５通りの中間輝度が表現されることになる。すなわち、（Ｎ＋１）階調（Ｎはサブフィールドの数）分の中間輝度表示が可能となるのである。
【０００７】
ところが、かかる駆動方法では、１フィールドを分割するサブフィールドの数に限度がある為、階調数が不足するという問題が生じる。そこで、この階調数不足を補うべく、入力映像信号に対してディザ処理の如き多階調化処理を施す（例えば、特許文献１の図２４参照)。
【０００８】
ディザ処理では、先ず、画面の上下左右方向に隣接する複数の画素を１画素単位とし、この１画素単位内の各画素に対応した画素データ（入力映像信号によって表される輝度レベルをｋビットのデータで表すデータ）に、互いに異なる係数値からなるディザ値を夫々割り当てて加算する。そして、ディザ加算後の画素データ中の上位ビット群を抽出し、この上位ビット群に応じて、図２に示す如き１５通りの発光パターンの内のいずれか１の駆動を実施するのである。すなわち、１画素単位内の画素各々を、夫々異なる輝度の重み付けをもたせて発光させるのである。これにより、１画素単位内における各画素による平均輝度に対応した輝度が視覚されることになる。
【０００９】
尚、上述した如きディザ処理と共に、隣接する複数の表示ラインからなる表示ライン群毎に、その表示ライン群内の各表示ラインに輝度の重み付けをもたせて各表示ラインに属する画素を発光駆動する、いわゆるラインディザ処理を併用することが考えられる。かかるラインディザ処理では、隣接する複数の表示ライン各々において、図２の白丸印にて示す如き連続して放電発光させるべきサブフィールドの数を異ならせるのである。ところが、表現すべき輝度レベルが低くなるほど、放電セルを連続して点灯モードに設定するサブフィールドの数が少なくなるので、上述した如きラインディザ処理が事実上出来なくなる。よって、所定輝度よりも低輝度を表現する各階調ではラインディザ処理を実施しないのである。この際、所定輝度よりも高輝度を表現する各階調（ラインディザ処理有り）間での輝度差は、いずれの表示ラインに属する放電セルにおいても略同一となる。
【００１０】
しかしながら、所定輝度よりも低輝度を表現する階調（ラインディザ処理無し）、及びこの階調よりも高輝度を表現する階調（ラインディザ処理有り）間では、その輝度差が表示ライン毎に異なってくる。よって、階調間での輝度差が表示ライン毎に変動してしまうことから表示ノイズが発生し、画質の劣化を招くという問題が生じる。
【特許文献１】特開２０００−２２７７７８号公報
【発明の開示】
【発明が解決しようとする課題】
【００１１】
本発明は、かかる問題を解決すべく為されたものであり、表示ノイズを低減させた高品質な画像を表示することが可能な表示パネルの駆動方法を提供することを目的とするものである。
【課題を解決するための手段】
【００１２】
請求項１記載による表示パネルの駆動方法は、各表示ラインに画素を担う複数の画素セルが配列されている表示パネルを、映像信号に基づく各画素に対応した画素データに応じてフレーム表示期間内における複数のサブフィールド毎に階調駆動する表示パネルの駆動方法であって、前記画素データに応じて前記フレーム表示期間内における１の前記サブフィールドのみで前記画素セルの状態を点灯モード及び消灯モードの内の一方の状態から他方の状態に遷移させ、前記サブフィールド各々において前記点灯モードの状態にある前記画素セルのみを当該サブフィールドに割り当てられている発光回数だけ発光維持させるにあたり、前記フレーム表示期間内において連続して配置された夫々Ｍ個（Ｍは２以上の整数）のサブフィールドからなる特定サブフィールド群及び前記特定サブフィールド群に後続する後続サブフィールド群の内の前記後続サブフィールド群内では、前記画素セルの状態を前記一方の状態から前記他方の状態に遷移させるべき前記１のサブフィールドを隣接したＭ個の表示ライン各々毎に異ならせる第１処理を実行し、前記特定サブフィールド群内では当該特定サブフィールド群内の所定の前記サブフィールドのみで前記画素セルの状態を前記一方の状態から前記他方の状態に遷移させる第２処理、及び前記第１処理の内のいずれか一方を実行する。
【発明を実施するための最良の形態】
【００１３】
フレーム表示期間内において連続して配置された夫々Ｍ個（Ｍは２以上の整数）のサブフィールドからなる特定サブフィールド群及びこの特定サブフィールド群に後続する後続サブフィールド群の内の後続サブフィールド群内では、画素セルの状態を点灯モード及び消灯モードの内の一方の状態から他方の状態に遷移させるべき１のサブフィールドを隣接したＭ個の表示ラインからなる表示ライン各々毎に異ならせる第１処理を実行し、特定サブフィールド群内ではこの特定サブフィールド群内の所定のサブフィールドのみで画素セルの状態を上記一方の状態から他方の状態に遷移させる第２処理、及び上記第１処理の内のいずれか一方を実行する。
【実施例１】
【００１４】
図３は、本発明による表示パネルの駆動方法に従ってプラズマディスプレイパネルの駆動を行うプラズマディスプレイ装置の概略構成を示す図である。
【００１５】
図３において、プラズマディスプレイパネルとしてのＰＤＰ１００は、表示面を担う前面基板(図示せぬ)と、放電ガスの封入された放電空間を挟んで前面基板と対向した位置に配置されている背面基板(図示せぬ)とを備える。前面基板上には、互いに交互にかつ平行に配置されている帯状の行電極Ｘ1〜Ｘn及び行電極Ｙ1〜Ｙnが形成されている。背面基板上には、上記行電極各々に交叉して配置されている帯状の列電極Ｄ1〜Ｄmが形成されている。尚、行電極Ｘ1〜Ｘn及びＹ1〜Ｙnは、一対の行電極Ｘ及びＹにてＰＤＰ１００の第１表示ライン〜第ｎ表示ラインを担う構造となっており、各行電極対と列電極との交叉部(放電空間を含む)に画素を担う画素セルＧが形成されている。すなわち、ＰＤＰ１００には、（ｎ×ｍ）個の画素セルＧ(1,1)〜Ｇ(n,m)がマトリクス状に形成されているのである。
【００１６】
画素データ変換回路１０は、入力映像信号を各画素毎の例えば５ビットの画素データＰＤに変換してこれを多階調化処理回路２０に供給する。
【００１７】
多階調化処理回路２０は、加算器２００、ラインオフセットデータ生成回路２１０、ディザマトリクス回路２２０、及び上位ビット抽出回路２３０から構成される。
【００１８】
ラインオフセットデータ生成回路２１０は、上記画素データＰＤによって示される輝度レベルが所定輝度レベルＹＬよりも高輝度である場合には、以下の如きラインオフセットデータを生成して加算器２００に供給する。
【００１９】
すなわち、ラインオフセットデータ生成回路２１０は、ＰＤＰ１００の第（４Ｎ−３）番目の表示ライン［Ｎ：(1/4)・ｎ以下の自然数］に対応した画素データＰＤが供給された場合には「０」（１０進数表現）を表すラインオフセットデータを加算器２００に供給する。又、第（４Ｎ−２）番目の表示ラインに対応した画素データＰＤが供給された場合には、ラインオフセットデータ生成回路２１０は「１」（１０進数表現）を表すラインオフセットデータを加算器２００に供給する。又、第（４Ｎ−１）番目の表示ラインに対応した画素データＰＤが供給された場合には、ラインオフセットデータ生成回路２１０は「２」（１０進数表現）を表すラインオフセットデータを加算器２００に供給する。又、第（４Ｎ）番目の表示ラインに対応した画素データＰＤが供給された場合には、ラインオフセットデータ生成回路２１０は「３」（１０進数表現）を表すラインオフセットデータを加算器２００に供給する。
【００２０】
尚、ラインオフセットデータ生成回路２１０は、上記画素データＰＤによって示される輝度レベルが上記所定輝度レベルＹＬ以下の低輝度である場合には、加算器２００に対するラインオフセットデータの供給を停止する。
【００２１】
ディザマトリクス回路２２０は、画面の上下左右方向に隣接する４画素×４画素の１６画素からなる画素群毎に、かかる画素群内の各画素に対応させて図４（ａ）又は図４（ｂ）に示す如き各種ディザ値を生成して加算器２００に供給する。
【００２２】
すなわち、上記画素データＰＤが所定輝度レベルＹＬ以下の低輝度を表す場合には、図４（ａ）に示す如く、４×４画素群毎に、
第（４Ｎ−３）番目の列に属する各画素に対応させて「０」、
第（４Ｎ−２）番目の列に属する各画素に対応させて「１」、
第（４Ｎ−１）番目の列に属する各画素に対応させて「２」、
第（４Ｎ）番目の列に属する各画素に対応させて「３」、
なるディザ値を生成して加算器２００に供給する。
【００２３】
一方、上記画素データＰＤが所定輝度レベルＹＬよりも高輝度を表す場合には、図４（ｂ）に示す如く、４×４画素群毎に、
第（４Ｎ−３）番目の列に属する各画素に対応させて「４」、
第（４Ｎ−２）番目の列に属する各画素に対応させて「５」、
第（４Ｎ−１）番目の列に属する各画素に対応させて「６」、
第（４Ｎ）番目の列に属する各画素に対応させて「７」、
なるディザ値を生成して加算器２００に供給する。
【００２４】
加算器２００は、画素データ変換回路１０から供給された５ビットの画素データＰＤに、上記ディザ値と上記ラインオフセットデータとを加算して得られた５ビットのディザ加算画素データＫＤを上位ビット抽出回路２３０に供給する。
【００２５】
上位ビット抽出回路２３０は、ディザ加算画素データＫＤの下位２ビット分を切り捨て、残りの上位３ビット分を多階調化画素データＭＤとして画素駆動データ生成回路３０に供給する。すなわち、入力映像信号によって示される各種の輝度レベルを、図５に示す如く、３ビットの多階調化画素データＭＤにて６段階で表現するのである。
【００２６】
画素駆動データ生成回路３０は、上記多階調化画素データＭＤを図５に示す如きデータ変換テーブルに従って１４ビットの画素駆動データＧＤに変換してこれをメモリ４０に供給する。
【００２７】
メモリ４０は、各画素毎の画素駆動データＧＤを順次取り込んで記憶する。そして、１フレーム(ｎ行×ｍ列)分の画素駆動データＧＤ1、1〜ＧＤn、mが書込まれる度に、これら画素駆動データＧＤ1、1〜ＧＤn、m各々をビット桁(第１〜第１４ビット)毎に分離し、夫々、後述するサブフィールドＳＦ０、ＳＦ１、ＳＦ２１〜ＳＦ２４、ＳＦ３１〜ＳＦ３４、ＳＦ４１〜ＳＦ４４に対応させて１表示ライン分ずつ読み出す。メモリ４０は、読み出した１表示ライン分（ｍ個）の画素駆動データビットを画素駆動データビットＤＢ１〜ＤＢ(ｍ)として列電極ドライバ５０に供給する。
【００２８】
駆動制御回路６０は、サブフィールド法に基づく図６に示されるが如き発光駆動シーケンスに従って上記ＰＤＰ１００を階調駆動させるべき各種タイミング信号を、上記列電極ドライバ５０、行電極Ｙドライバ７０及び行電極Ｘドライバ８０の各々に供給する。列電極ドライバ５０、行電極Ｙドライバ７０及び行電極Ｘドライバ８０各々は、図６に示される発光駆動シーケンスに従って以下の如き各種駆動行程を実行する為の各種駆動パルスをＰＤＰ１００の列電極Ｄ、行電極Ｘ及びＹに印加する。
【００２９】
すなわち、駆動制御回路６０、列電極ドライバ５０、行電極Ｙドライバ７０及び行電極Ｘドライバ８０からなるパネル駆動部は、図６に示される発光駆動シーケンスに従ってＰＤＰ１００に対する表示駆動を実施するのである。
【００３０】
尚、図６に示す発光駆動シーケンスにおいて１フィールドの表示期間は、サブフィールドＳＦ０、ＳＦ１、ＳＦ２１〜ＳＦ２４、ＳＦ３１〜ＳＦ３４、ＳＦ４１〜ＳＦ４４からなる。
【００３１】
先ず、先頭のサブフィールドＳＦ０においてパネル駆動部は、ＰＤＰ１００の全画素セルを点灯モード（所定量の壁電荷が形成された状態）に初期化するリセット行程Ｒと、画素駆動データビットに応じて選択的に各画素セルを消灯モード（壁電荷が消去された状態）に遷移させるアドレス行程Ｗ０とを順次実行する。
【００３２】
次に、サブフィールドＳＦ１においてパネル駆動部は、点灯モードにある画素セルのみを期間「４」に亘り発光維持させるサスティン行程Ｉと、上記アドレス行程Ｗ０とを順次実行する。
【００３３】
次に、サブフィールドＳＦ２１においてパネル駆動部は、点灯モードにある画素セルのみを期間「２」に亘り（発光回数２だけ）発光維持させるサスティン行程Ｉと、画素駆動データビットに応じて第(４Ｎ）番目の表示ラインに属する画素セル各々を選択的に消灯モードに推移せしめるアドレス行程Ｗ１とを順次実行する。次に、サブフィールドＳＦ２２においてパネル駆動部は、点灯モードにある画素セルのみを期間「２」に亘り（発光回数２だけ）発光維持させるサスティン行程Ｉと、画素駆動データビットに応じて第(４Ｎ−１）番目の表示ラインに属する画素セル各々を選択的に消灯モードに推移せしめるアドレス行程Ｗ２とを順次実行する。次に、サブフィールドＳＦ２３においてパネル駆動部は、点灯モードにある画素セルのみを期間「２」に亘り（発光回数２だけ）発光維持させるサスティン行程Ｉと、画素駆動データビットに応じて第(４Ｎ−２）番目の表示ラインに属する画素セル各々を選択的に消灯モードに推移せしめるアドレス行程Ｗ３とを順次実行する。次に、サブフィールドＳＦ２４においてパネル駆動部は、点灯モードにある画素セルのみを期間「２」に亘り（発光回数２だけ）発光維持させるサスティン行程Ｉと、画素駆動データビットに応じて各画素セルを選択的に消灯モードに推移せしめるアドレス行程Ｗ０とを順次実行する。
【００３４】
次に、サブフィールドＳＦ３１においてパネル駆動部は、点灯モードにある画素セルのみを期間「３」に亘り（発光回数３だけ）発光維持させるサスティン行程Ｉと、画素駆動データビットに応じて第(４Ｎ）番目の表示ラインに属する画素セル各々を選択的に消灯モードに推移せしめるアドレス行程Ｗ１とを順次実行する。次に、サブフィールドＳＦ３２においてパネル駆動部は、点灯モードにある画素セルのみを期間「３」に亘り（発光回数３だけ）発光維持させるサスティン行程Ｉと、画素駆動データビットに応じて第(４Ｎ−１）番目の表示ラインに属する画素セル各々を選択的に消灯モードに推移せしめるアドレス行程Ｗ２とを順次実行する。次に、サブフィールドＳＦ３３においてパネル駆動部は、点灯モードにある画素セルのみを期間「３」に亘り（発光回数３だけ）発光維持させるサスティン行程Ｉと、画素駆動データビットに応じて第(４Ｎ−２）番目の表示ラインに属する画素セル各々を選択的に消灯モードに推移せしめるアドレス行程Ｗ３とを順次実行する。次に、サブフィールドＳＦ３４においてパネル駆動部は、点灯モードにある画素セルのみを期間「３」に亘り（発光回数３だけ）発光維持させるサスティン行程Ｉと、画素駆動データビットに応じて第(４Ｎ−３）番目の表示ラインに属する画素セル各々を選択的に消灯モードに推移せしめるアドレス行程Ｗ４とを順次実行する。
【００３５】
次に、サブフィールドＳＦ４１においてパネル駆動部は、点灯モードにある画素セルのみを期間「４」に亘り（発光回数４だけ）発光維持させるサスティン行程Ｉと、画素駆動データビットに応じて第(４Ｎ）番目の表示ラインに属する画素セル各々を選択的に消灯モードに推移せしめるアドレス行程Ｗ１とを順次実行する。次に、サブフィールドＳＦ４２においてパネル駆動部は、点灯モードにある画素セルのみを期間「４」に亘り（発光回数４だけ）発光維持させるサスティン行程Ｉと、画素駆動データビットに応じて第(４Ｎ−１）番目の表示ラインに属する画素セル各々を選択的に消灯モードに推移せしめるアドレス行程Ｗ２とを順次実行する。次に、サブフィールドＳＦ４３においてパネル駆動部は、点灯モードにある画素セルのみを期間「４」に亘り（発光回数４だけ）発光維持させるサスティン行程Ｉと、画素駆動データビットに応じて第(４Ｎ−２）番目の表示ラインに属する画素セル各々を選択的に消灯モードに推移せしめるアドレス行程Ｗ３とを順次実行する。次に、サブフィールドＳＦ４４においてパネル駆動部は、点灯モードにある画素セルのみを期間「４」に亘り（発光回数４だけ）発光維持させるサスティン行程Ｉと、画素駆動データビットに応じて第(４Ｎ−３）番目の表示ラインに属する画素セル各々を選択的に消灯モードに推移せしめるアドレス行程Ｗ４とを順次実行する。
【００３６】
ここで、図６に示す発光駆動シーケンスでは、単位表示期間としての１フレーム表示期間内のサブフィールド各々の内で、画素セルを消灯モードから点灯モード状態に推移させることが可能な機会は、先頭のサブフィールドＳＦ０のリセット行程Ｒだけである。つまり、サブフィールドＳＦ０、ＳＦ１、ＳＦ２１〜ＳＦ２４、ＳＦ３１〜ＳＦ３４、ＳＦ４１〜ＳＦ４４の内の１のサブフィールドのアドレス行程（Ｗ０、Ｗ１、Ｗ２、Ｗ３又はＷ４）で画素セルが消灯モードに設定されると、それ以降のサブフィールドではこの画素セルを点灯モードに復帰させることは出来ない。この際、画素駆動データビットが論理レベル１である場合にそのビット桁に対応したサブフィールドのアドレス行程（Ｗ０、Ｗ１、Ｗ２、Ｗ３又はＷ４）で画素セルが消灯モードに設定される。
【００３７】
よって、各画素セルは、図５の黒丸印にて示されるサブフィールドのアドレス行程で消灯モードに設定されるまでの間、先頭から連続したサブフィールド各々のサスティン行程Ｉにてサスティン放電発光(白丸に示す)する。この際、かかるサスティン放電発光による１フレーム表示期間内での総発光期間に対応した中間輝度が視覚される。
【００３８】
すなわち、パネル駆動部は、入力映像信号によって示される輝度レベルを６段階で表すディザ加算画素データＫＤに応じて、夫々１フレーム表示期間内での総発光期間が異なる図５に示す如き発光パターンに従った駆動を実施するのである。
【００３９】
例えば、ディザ加算画素データＫＤが最低の輝度レベルを表す［０００］である場合、パネル駆動部は、黒丸印にて示されるように、先頭のサブフィールドＳＦ０のアドレス行程Ｗ０において画素セルを消灯モードに設定する。この際、１フレーム表示期間を通して一切、サスティン行程Ｉでのサスティン放電発光が為されないので、最低の輝度レベル０が表現される。
【００４０】
又、ディザ加算画素データＫＤが上記［０００］よりも１段階だけ高輝度を表す[００１]である場合、パネル駆動部は、黒丸印にて示されるように、サブフィールドＳＦ１のアドレス行程Ｗ０のみで画素セルを消灯モードに設定する。この際、１フレーム表示期間を通して、サブフィールドＳＦ１のサスティン行程Ｉのみで期間「４」に亘る発光維持が為されるので、この期間「４」に対応した輝度レベルが表現される。
【００４１】
又、ディザ加算画素データＫＤが上記［００１］よりも１段階だけ高輝度を表す[０１０]である場合、パネル駆動部は、黒丸印にて示されるように、サブフィールドＳＦ２４のアドレス行程Ｗ０のみで画素セルを消灯モードに設定する。この際、サブフィールドＳＦ１のサスティン行程Ｉにて期間「４」、サブフィールドＳＦ２１〜ＳＦ２４各々のサスティン行程Ｉにおいて夫々期間「２」に亘り発光維持が為されるので、その総発光期間「１２」に対応した輝度レベルが表現される。
【００４２】
尚、ディザ加算画素データＫＤが［０１１］以上の高輝度を表す場合、パネル駆動部は、画面上下方向において隣接する４つの表示ライン各々に属する画素セル、つまり、
第(４Ｎ−３）番目の表示ラインに属する画素セル、
第(４Ｎ−２）番目の表示ラインに属する画素セル、
第(４Ｎ−１）番目の表示ラインに属する画素セル、
第(４Ｎ）番目の表示ラインの各々に属する画素セル、
の各々毎に、ディザ加算画素データＫＤに応じた１フレーム表示期間内での発光パターンを異ならせた発光駆動を実行する。
【００４３】
例えば、ディザ加算画素データＫＤが［０１１］である場合、パネル駆動部は、第(４Ｎ）番目の表示ライン、つまり第４、第８、第１２、・・・、第ｎ表示ライン各々に属する画素セルに対しては、黒丸印にて示されるように、サブフィールドＳＦ２１のアドレス行程Ｗ１のみで画素セルを消灯モードに設定する。この際、第(４Ｎ）番目の表示ラインに属する画素セルは、サブフィールドＳＦ１及びＳＦ２１各々のサスティン行程Ｉのみで発光維持が実施されるので、その総発光期間「６」（総発光回数６）に対応した輝度レベルが表現される。又、同様にディザ加算画素データＫＤが［０１１］である場合、第(４Ｎ−１）番目の表示ライン、つまり第３、第７、第１１、・・・、第(ｎ−１)表示ライン各々に属する画素セルに対しては、パネル駆動部は、サブフィールドＳＦ２２のアドレス行程Ｗ２のみで画素セルを消灯モードに設定する。この際、第(４Ｎ−１）番目の表示ラインに属する画素セルは、サブフィールドＳＦ１、ＳＦ２１及びＳＦ２２各々のサスティン行程Ｉのみで発光維持が実施されるので、その総発光期間「８」（総発光回数８）に対応した輝度レベルが表現される。又、同様にディザ加算画素データＫＤが［０１１］である場合、第(４Ｎ−２）番目の表示ライン、つまり第２、第６、第１０、・・・、第(ｎ−２)表示ライン各々に属する画素セルに対しては、パネル駆動部は、サブフィールドＳＦ２３のアドレス行程Ｗ３のみで画素セルを消灯モードに設定する。この際、第(４Ｎ−２）番目の表示ラインに属する画素セルは、サブフィールドＳＦ１、ＳＦ２１〜ＳＦ２３各々のサスティン行程Ｉのみで発光維持が実施されるので、その総発光期間「１０」（総発光回数１０）に対応した輝度レベルが表現される。又、同様にディザ加算画素データＫＤが［０１１］である場合、第(４Ｎ−３）番目の表示ライン、つまり第１、第５、第９、・・・、第(ｎ−３)表示ライン各々に属する画素セルに対しては、パネル駆動部は、サブフィールドＳＦ２４のアドレス行程Ｗ０のみで画素セルを消灯モードに設定する。この際、第(４Ｎ−３）番目の表示ラインに属する画素セルは、サブフィールドＳＦ１、ＳＦ２１〜ＳＦ２４各々のサスティン行程Ｉのみで発光維持が実施されるので、その総発光期間「１２」（総発光回数１２）に対応した輝度レベルが表現される。
【００４４】
すなわち、所定輝度レベルよりも高輝度な輝度レベルを表す［０１１］なるディザ加算画素データＫＤに応じて、
第(４Ｎ）番目の表示ラインに属する画素セルは「６」、
第(４Ｎ−１）番目の表示ラインに属する画素セルは「８」、
第(４Ｎ−２）番目の表示ラインに属する画素セルは「１０」、
第(４Ｎ−３）番目の表示ラインに属する画素セルは「１２」、
なる輝度レベルで夫々発光することになる。
【００４５】
同様に、［０１１］よりも１段階だけ高輝度を表す[１００]なるディザ加算画素データＫＤに応じて、
第(４Ｎ）番目の表示ラインに属する画素セルは「１５」、
第(４Ｎ−１）番目の表示ラインに属する画素セルは「１８」、
第(４Ｎ−２）番目の表示ラインに属する画素セルは「２１」、
第(４Ｎ−３）番目の表示ラインに属する画素セルは「２４」、
なる輝度レベルで夫々発光することになる。
【００４６】
そして、最大輝度を表す[１０１]なるディザ加算画素データＫＤに応じて、
第(４Ｎ）番目の表示ラインに属する画素セルは「２８」、
第(４Ｎ−１）番目の表示ラインに属する画素セルは「３２」、
第(４Ｎ−２）番目の表示ラインに属する画素セルは「３６」、
第(４Ｎ−３）番目の表示ラインに属する画素セルは「４０」、
なる輝度レベルで夫々発光することになる。
【００４７】
以上の如く、入力映像信号（画素データＰＤ）が所定輝度レベルＹＬよりも高輝度な輝度レベルを表す場合には、画面上下方向において隣接する４つの表示ライン各々に属する画素セル、つまり、
第(４Ｎ）番目の表示ラインに属する画素セル、
第(４Ｎ−１）番目の表示ラインに属する画素セル、
第(４Ｎ−２）番目の表示ラインに属する画素セル、
第(４Ｎ−３）番目の表示ラインの各々に属する画素セル、
の各々毎に、ディザ加算画素データＫＤに応じた発光輝度レベルを異ならせているのである。
【００４８】
要するに、ディザ加算画素データＫＤが［０１１］以上の高輝度を表す場合に限りラインディザ処理を実行するのである。この際、低輝度成分の発光を担うサブフィールドＳＦ１（ラインディザ処理無し）に後続し、且つＳＦ１よりも１段階だけ高輝度な発光を担うサブフィールドＳＦ２１〜ＳＦ２４では、ラインディザ処理無しの駆動（ＫＤ＝［０１０］）と、ラインディザ処理有りの駆動（ＫＤ＝［０１１］）の双方が為される。
【００４９】
尚、ディザ加算画素データＫＤは、入力映像信号に対応した画素データＰＤに、上述した如きラインオフセットデータ及びディザ値を加算して得られた５ビットの加算結果から上位３ビット分を抽出して得られたものである。従って、例えば、画面の上下左右方向に隣接する４×４画素からなる１６個の画素（画素セル）各々に対応した画素データＰＤが全て同一の輝度レベルを表す場合であっても、各画素の１フレーム表示期間内での発光パターンは必ずしも同一とはならない。この際、隣接する４つの画素各々による各サブフィールド毎の平均発光期間の合計期間（１フレーム表示期間内での）に対応した輝度レベルが視覚されることになる。
【００５０】
図７は、ＰＤＰ１００の第(４Ｎ−３）番目の表示ラインに属する例えば画素セルＧ(1,1)、Ｇ(1,2)、Ｇ(1,3)、Ｇ(1,4)各々に対応したディザ加算画素データＫＤ(1,1)、ＫＤ(1,2)、ＫＤ(1,3)、ＫＤ(1,4)と、これら４つの画素セルＧ(1,1)、Ｇ(1,2)、Ｇ(1,3)、Ｇ(1,4)各々の発光による各サブフィールドでの平均発光期間とを示すものである。又、図８は、第(４Ｎ−２）番目の表示ラインに属する例えば画素セルＧ(2,1)、Ｇ(2,2)、Ｇ(2,3)、Ｇ(2,4)各々に対応したディザ加算画素データＫＤ(2,1)、ＫＤ(2,2)、ＫＤ(2,3)、ＫＤ(2,4)と、これら４つの画素セルＧ(2,1)、Ｇ(2,2)、Ｇ(2,3)、Ｇ(2,4)各々の発光による各サブフィールドでの平均発光期間とを示すものである。又、図９は、第(４Ｎ−１）番目の表示ラインに属する例えば画素セルＧ(3,1)、Ｇ(3,2)、Ｇ(3,3)、Ｇ(3,4)各々に対応したディザ加算画素データＫＤ(3,1)、ＫＤ(3,2)、ＫＤ(3,3)、ＫＤ(3,4)と、これら４つの画素セルＧ(3,1)、Ｇ(3,2)、Ｇ(3,3)、Ｇ(3,4)各々の発光による各サブフィールドでの平均発光期間とを示すものである。又、図１０は、第(４Ｎ）番目の表示ラインに属する例えば画素セルＧ(4,1)、Ｇ(4,2)、Ｇ(4,3)、Ｇ(4,4)各々に対応したディザ加算画素データＫＤ(4,1)、ＫＤ(4,2)、ＫＤ(4,3)、ＫＤ(4,4)と、これら４つの画素セルＧ(4,1)、Ｇ(4,2)、Ｇ(4,3)、Ｇ(4,4)各々の発光による各サブフィールドでの平均発光期間とを示すものである。
【００５１】
ここで、画素データＰＤによって表される輝度レベルが輝度レベル「８」（＝所定輝度レベルＹＬ）以下の低輝度である場合には、図７〜図１０に示すように、第(４Ｎ−３）番目、第(４Ｎ−２）番目、第(４Ｎ−１）番目、第（４Ｎ）番目のいずれの表示ラインに属する画素セルに対しても同一の発光が為される。又、画素データＰＤによって表される輝度レベルが輝度レベル「８」以下の低輝度である場合には、隣接する４つの画素セル各々に対応した画素データＰＤには、図４（ａ）に示す如きディザ値「０」、「１」、「２」、「３」が夫々加算され、ラインオフセットデータは加算されない。
【００５２】
以下に、第(４Ｎ−３）番目の表示ラインに属する画素セルＧ(1,1)、Ｇ(1,2)、Ｇ(1,3)、Ｇ(1,4)を抜粋して、輝度レベル「０」〜「８」を表す画素データＰＤに応じて為される発光動作について説明する。
【００５３】
先ず、画素セルＧ(1,1)、Ｇ(1,2)、Ｇ(1,3)、Ｇ(1,4)各々に対応した画素データＰＤ（５ビット）が輝度レベル「０」を表す場合、これにディザ値「０」、「１」、「２」、「３」を夫々加算し、その加算結果の上位３ビットを抽出すると、
ＫＤ(1,1)＝［０００］
ＫＤ(1,2)＝［０００］
ＫＤ(1,3)＝［０００］
ＫＤ(1,4)＝［０００］
なるディザ加算画素データＫＤ(1,1)、ＫＤ(1,2)、ＫＤ(1,3)、ＫＤ(1,4)が生成される。
【００５４】
よって、［０００］なるディザ加算画素データＫＤに応じて、画素セルＧ(1,1)、Ｇ(1,2)、Ｇ(1,3)、Ｇ(1,4)の各々は、図５に示す如く、サブフィールドＳＦ０のアドレス行程Ｗ０において消灯モードに設定される。従って、１フレーム表示期間内での４つの画素セルＧ(1,1)、Ｇ(1,2)、Ｇ(1,3)、Ｇ(1,4)各々による述べ発光期間は「０」となり、その１画素セルあたりの平均発光期間「０」に対応した輝度が視覚される。
【００５５】
又、画素データＰＤが輝度レベル「１」を表す場合、これにディザ値「０」、「１」、「２」、「３」を夫々加算し、その加算結果の上位３ビットを抽出すると、
ＫＤ(1,1)＝［０００］
ＫＤ(1,2)＝［０００］
ＫＤ(1,3)＝［０００］
ＫＤ(1,4)＝［００１］
なるディザ加算画素データＫＤ(1,1)、ＫＤ(1,2)、ＫＤ(1,3)、ＫＤ(1,4)が生成される。
【００５６】
よって、［０００］なるディザ加算画素データＫＤに応じて、画素セルＧ(1,1)、Ｇ(1,2)、Ｇ(1,3)各々は、図５に示す如くサブフィールドＳＦ０のアドレス行程Ｗ０において消灯モードに設定されるので、１フレーム表示期間を通して消灯状態、つまり輝度レベル「０」の状態を維持する。又、［００１］なるディザ加算画素データＫＤに応じて、画素セルＧ(1,4)は、図５に示す如くサブフィールドＳＦ１のアドレス行程Ｗ０において消灯モードに設定されるので、サブフィールドＳＦ１のサスティン行程Ｉで期間「４」に亘り発光維持される。従って、１フレーム表示期間内での４つの画素セルＧ(1,1)、Ｇ(1,2)、Ｇ(1,3)、Ｇ(1,4)各々による述べ発光期間は「４」となり、その１画素セルあたりの平均発光期間「１」に対応した輝度が視覚される。
【００５７】
又、画素データＰＤが輝度レベル「２」を表す場合、これにディザ値「０」、「１」、「２」、「３」を夫々加算し、その加算結果の上位３ビットを抽出すると、
ＫＤ(1,1)＝［０００］
ＫＤ(1,2)＝［０００］
ＫＤ(1,3)＝［００１］
ＫＤ(1,4)＝［００１］
なるディザ加算画素データＫＤ(1,1)、ＫＤ(1,2)、ＫＤ(1,3)、ＫＤ(1,4)が生成される。
【００５８】
よって、［０００］なるディザ加算画素データＫＤに応じて、画素セルＧ(1,1)、Ｇ(1,2)各々は、図５に示す如くサブフィールドＳＦ０のアドレス行程Ｗ０において消灯モードに設定されるので、１フレーム表示期間を通して消灯状態、つまり輝度レベル「０」の状態を維持する。又、［００１］なるディザ加算画素データＫＤに応じて、画素セルＧ(1,3)及びＧ(1,4)は、図５に示す如くサブフィールドＳＦ１のアドレス行程Ｗ０において消灯モードに設定されるので、サブフィールドＳＦ１のサスティン行程Ｉで夫々期間「４」に亘り発光維持される。従って、１フレーム表示期間内での４つの画素セルＧ(1,1)、Ｇ(1,2)、Ｇ(1,3)、Ｇ(1,4)各々による述べ発光期間は「８」となり、その１画素セルあたりの平均発光期間「２」に対応した輝度が視覚される。
【００５９】
又、画素データＰＤが輝度レベル「３」を表す場合、これにディザ値「０」、「１」、「２」、「３」を夫々加算し、その加算結果の上位３ビットを抽出すると、
ＫＤ(1,1)＝［０００］
ＫＤ(1,2)＝［００１］
ＫＤ(1,3)＝［００１］
ＫＤ(1,4)＝［００１］
なるディザ加算画素データＫＤ(1,1)、ＫＤ(1,2)、ＫＤ(1,3)、ＫＤ(1,4)が生成される。
【００６０】
よって、［０００］なるディザ加算画素データＫＤに応じて、画素セルＧ(1,1)、は、図５に示す如くサブフィールドＳＦ０のアドレス行程Ｗ０において消灯モードに設定されるので、１フレーム表示期間を通して消灯状態、つまり輝度レベル「０」の状態を維持する。又、［００１］なるディザ加算画素データＫＤに応じて、画素セルＧ(1,2)、Ｇ(1,3)及びＧ(1,4)各々は、図５に示す如くサブフィールドＳＦ１のアドレス行程Ｗ０において消灯モードに設定されるので、サブフィールドＳＦ１のサスティン行程Ｉで夫々期間「４」に亘り発光維持される。従って、１フレーム表示期間内での４つの画素セルＧ(1,1)、Ｇ(1,2)、Ｇ(1,3)、Ｇ(1,4)各々による述べ発光期間は「１２」となり、その１画素セルあたりの平均発光期間「３」に対応した輝度が視覚される。
【００６１】
又、画素データＰＤが輝度レベル「４」を表す場合、これにディザ値「０」、「１」、「２」、「３」を夫々加算し、その加算結果の上位３ビットを抽出すると、
ＫＤ(1,1)＝［００１］
ＫＤ(1,2)＝［００１］
ＫＤ(1,3)＝［００１］
ＫＤ(1,4)＝［００１］
なるディザ加算画素データＫＤ(1,1)、ＫＤ(1,2)、ＫＤ(1,3)、ＫＤ(1,4)が生成される。
【００６２】
よって、［００１］なるディザ加算画素データＫＤに応じて、画素セルＧ(1,1)、Ｇ(1,2)、Ｇ(1,3)及びＧ(1,4)各々は、図５に示す如くサブフィールドＳＦ１のアドレス行程Ｗ０において消灯モードに設定されるので、サブフィールドＳＦ１のサスティン行程Ｉで夫々期間「４」に亘り発光維持される。従って、１フレーム表示期間内での４つの画素セルＧ(1,1)、Ｇ(1,2)、Ｇ(1,3)、Ｇ(1,4)各々の述べ発光期間は「１６」となり、その１画素セルあたりの平均発光期間「４」に対応した輝度が視覚される。
【００６３】
又、画素データＰＤが輝度レベル「５」を表す場合、これにディザ値「０」、「１」、「２」、「３」を夫々加算し、その加算結果の上位３ビットを抽出すると、
ＫＤ(1,1)＝［００１］
ＫＤ(1,2)＝［００１］
ＫＤ(1,3)＝［００１］
ＫＤ(1,4)＝［０１０］
なるディザ加算画素データＫＤ(1,1)、ＫＤ(1,2)、ＫＤ(1,3)、ＫＤ(1,4)が生成される。
【００６４】
よって、［００１］なるディザ加算画素データＫＤに応じて、画素セルＧ(1,1)、Ｇ(1,2)、及びＧ(1,3)各々は、図５に示す如くサブフィールドＳＦ１のアドレス行程Ｗ０において消灯モードに設定されるので、サブフィールドＳＦ１のサスティン行程Ｉで夫々期間「４」に亘り発光維持される。又、［０１０］なるディザ加算画素データＫＤに応じて、画素セルＧ(1,4)は、図５に示す如くサブフィールドＳＦ２４のアドレス行程Ｗ０において消灯モードに設定される。よって、画素セルＧ(1,4)は、サブフィールドＳＦ１のサスティン行程Ｉで期間「４」、サブフィールドＳＦ２１〜ＳＦ２４各々のサスティン行程Ｉで夫々期間「２」に亘り発光維持される。この際、４つの画素セルＧ(1,1)、Ｇ(1,2)、Ｇ(1,3)、Ｇ(1,4)各々によるサブフィールドＳＦ１での平均発光期間は「４」であり、サブフィールドＳＦ２１〜ＳＦ２４各々での平均発光期間は「０．５」となる。従って、１フレーム表示期間内における各サブフィールド毎の平均発光期間の合計「６」に対応した輝度が視覚される。
【００６５】
又、画素データＰＤが輝度レベル「６」を表す場合、これにディザ値「０」、「１」、「２」、「３」を夫々加算し、その加算結果の上位３ビットを抽出すると、
ＫＤ(1,1)＝［００１］
ＫＤ(1,2)＝［００１］
ＫＤ(1,3)＝［０１０］
ＫＤ(1,4)＝［０１０］
なるディザ加算画素データＫＤ(1,1)、ＫＤ(1,2)、ＫＤ(1,3)、ＫＤ(1,4)が生成される。
【００６６】
よって、［００１］なるディザ加算画素データＫＤに応じて、画素セルＧ(1,1)、及びＧ(1,2)各々は、図５に示す如くサブフィールドＳＦ１のアドレス行程Ｗ０において消灯モードに設定されるので、サブフィールドＳＦ１のサスティン行程Ｉで夫々期間「４」に亘り発光維持される。又、［０１０］なるディザ加算画素データＫＤに応じて、画素セルＧ(1,3)及びＧ(1,4)各々は、図５に示す如くサブフィールドＳＦ２４のアドレス行程Ｗ０において消灯モードに設定される。よって、画素セルＧ(1,3)及びＧ(1,4)の各々は、サブフィールドＳＦ１のサスティン行程Ｉで夫々期間「４」、サブフィールドＳＦ２１〜ＳＦ２４各々のサスティン行程Ｉで夫々期間「２」に亘り発光維持される。この際、４つの画素セルＧ(1,1)、Ｇ(1,2)、Ｇ(1,3)、Ｇ(1,4)各々によるサブフィールドＳＦ１での平均発光期間は「４」であり、サブフィールドＳＦ２１〜ＳＦ２４各々での平均発光期間は「１」となる。従って、１フレーム表示期間内における各サブフィールド毎の平均発光期間の合計「８」に対応した輝度が視覚される。
【００６７】
又、画素データＰＤが輝度レベル「７」を表す場合、これにディザ値「０」、「１」、「２」、「３」を夫々加算し、その加算結果の上位３ビットを抽出すると、
ＫＤ(1,1)＝［００１］
ＫＤ(1,2)＝［０１０］
ＫＤ(1,3)＝［０１０］
ＫＤ(1,4)＝［０１０］
なるディザ加算画素データＫＤ(1,1)、ＫＤ(1,2)、ＫＤ(1,3)、ＫＤ(1,4)が生成される。
【００６８】
よって、［００１］なるディザ加算画素データＫＤに応じて、画素セルＧ(1,1)、は、図５に示す如くサブフィールドＳＦ１のアドレス行程Ｗ０において消灯モードに設定されるので、サブフィールドＳＦ１のサスティン行程Ｉで期間「４」に亘り発光維持される。又、［０１０］なるディザ加算画素データＫＤに応じて、画素セルＧ(1,2)、Ｇ(1,3)及びＧ(1,4)各々は、図５に示す如くサブフィールドＳＦ２４のアドレス行程Ｗ０において消灯モードに設定される。よって、画素セルＧ(1,2)、Ｇ(1,3)及びＧ(1,4)の各々は、サブフィールドＳＦ１のサスティン行程Ｉで夫々期間「４」、サブフィールドＳＦ２１〜ＳＦ２４各々のサスティン行程Ｉで夫々期間「２」に亘り発光維持される。この際、４つの画素セルＧ(1,1)、Ｇ(1,2)、Ｇ(1,3)、Ｇ(1,4)各々によるサブフィールドＳＦ１での平均発光期間は「４」であり、サブフィールドＳＦ２１〜ＳＦ２４各々での平均発光期間は「１．５」となる。従って、１フレーム表示期間内における各サブフィールド毎の平均発光期間の合計「１０」に対応した輝度が視覚される。
【００６９】
又、画素データＰＤが輝度レベル「８」を表す場合、これにディザ値「０」、「１」、「２」、「３」を夫々加算し、その加算結果の上位３ビットを抽出すると、
ＫＤ(1,1)＝［０１０］
ＫＤ(1,2)＝［０１０］
ＫＤ(1,3)＝［０１０］
ＫＤ(1,4)＝［０１０］
なるディザ加算画素データＫＤ(1,1)、ＫＤ(1,2)、ＫＤ(1,3)、ＫＤ(1,4)が生成される。
【００７０】
よって、［０１０］なるディザ加算画素データＫＤに応じて、画素セルＧ(1,1)、Ｇ(1,2)、Ｇ(1,3)及びＧ(1,4)各々は、図５に示す如くサブフィールドＳＦ２４のアドレス行程Ｗ０において消灯モードに設定される。よって、画素セルＧ(1,1)、Ｇ(1,2)、Ｇ(1,3)及びＧ(1,4)の各々は、サブフィールドＳＦ１のサスティン行程Ｉで夫々期間「４」、サブフィールドＳＦ２１〜ＳＦ２４各々のサスティン行程Ｉで夫々期間「２」に亘り発光維持される。この際、４つの画素セルＧ(1,1)、Ｇ(1,2)、Ｇ(1,3)、Ｇ(1,4)各々によるサブフィールドＳＦ１での平均発光期間は「４」であり、サブフィールドＳＦ２１〜ＳＦ２４各々での平均発光期間は「２」となる。従って、１フレーム表示期間内における各サブフィールド毎の平均発光期間の合計「１２」に対応した輝度が視覚される。
【００７１】
次に、画素データＰＤによって表される輝度レベルが「８」（＝所定輝度レベルＹＬ）よりも高輝度である場合の発光動作について、第(４Ｎ−３）番目、第(４Ｎ−２）番目、第(４Ｎ−１）番目、第（４Ｎ）番目の各表示ライン群毎に分けて説明する。
【００７２】
尚、この際、画面の左右方向に隣接する４つの画素セル各々に対応した画素データＰＤには、図４（ｂ）に示す如きディザ値「４」、「５」、「６」、「７」が夫々加算される。更に、画面の上下方向に隣接する４つの画素セル各々に対応した画素データＰＤにラインオフセットデータ「０」、「１」、「２」、「３」が夫々加算され、その加算結果の上位３ビット分がディザ加算画素データＫＤとして生成される。
【００７３】
［第(４Ｎ−３）番目の表示ラインに属する画素セル］
先ず、４つの画素セルＧ(1,1)、Ｇ(1,2)、Ｇ(1,3)、Ｇ(1,4)各々に対応した画素データＰＤ（５ビット）が輝度レベル「９」を表す場合、これにディザ値「４」、「５」、「６」、「７」を夫々加算し、その加算結果の上位３ビット分を抽出すると、図７に示す如く、
ＫＤ(1,1)＝［０１１］
ＫＤ(1,2)＝［０１１］
ＫＤ(1,3)＝［０１１］
ＫＤ(1,4)＝［１００］
なるディザ加算画素データＫＤ(1,1)、ＫＤ(1,2)、ＫＤ(1,3)、ＫＤ(1,4)が生成される。
【００７４】
よって、［０１１］なるディザ加算画素データＫＤに応じて、画素セルＧ(1,1)、Ｇ(1,2)、及びＧ(1,3)の各々は、図５に示す如く、サブフィールドＳＦ２４のアドレス行程Ｗ０において消灯モードに設定される。よって、画素セルＧ(1,1)、Ｇ(1,2)、及びＧ(1,3)の各々は、サブフィールドＳＦ１のサスティン行程Ｉで期間「４」、サブフィールドＳＦ２１〜ＳＦ２４各々のサスティン行程Ｉで夫々期間「２」に亘り発光維持される。又、［１００］なるディザ加算画素データＫＤに応じて、画素セルＧ(1,4)は、図５に示す如くサブフィールドＳＦ３４のアドレス行程Ｗ４において消灯モードに設定される。よって、画素セルＧ(1,4)は、サブフィールドＳＦ１のサスティン行程Ｉで期間「４」、サブフィールドＳＦ２１〜ＳＦ２４各々のサスティン行程Ｉで夫々期間「２」、サブフィールドＳＦ３１〜ＳＦ３４各々のサスティン行程Ｉで夫々期間「３」に亘り発光維持される。この際、４つの画素セルＧ(1,1)、Ｇ(1,2)、Ｇ(1,3)、Ｇ(1,4)各々によるサブフィールドＳＦ１での平均発光期間は「４」、サブフィールドＳＦ２１〜ＳＦ２４各々での平均発光期間は「２」、サブフィールドＳＦ３１〜ＳＦ３４各々での平均発光期間は「０．７５」となる。従って、１フレーム表示期間内における各サブフィールド毎の平均発光期間の合計「１５」に対応した輝度が視覚される。
【００７５】
又、４つの画素セルＧ(1,1)、Ｇ(1,2)、Ｇ(1,3)、Ｇ(1,4)各々に対応した画素データＰＤが輝度レベル「１０」を表す場合、これにディザ値「４」、「５」、「６」、「７」を夫々加算し、その加算結果の上位３ビット分を抽出すると、図７に示す如く、
ＫＤ(1,1)＝［０１１］
ＫＤ(1,2)＝［０１１］
ＫＤ(1,3)＝［１００］
ＫＤ(1,4)＝［１００］
なるディザ加算画素データＫＤ(1,1)、ＫＤ(1,2)、ＫＤ(1,3)、ＫＤ(1,4)が生成される。
【００７６】
よって、［０１１］なるディザ加算画素データＫＤに応じて、画素セルＧ(1,1)、及びＧ(1,2)の各々は、図５に示す如く、サブフィールドＳＦ２４のアドレス行程Ｗ０において消灯モードに設定される。よって、画素セルＧ(1,1)、及びＧ(1,2)の各々は、サブフィールドＳＦ１のサスティン行程Ｉで期間「４」、サブフィールドＳＦ２１〜ＳＦ２４各々のサスティン行程Ｉで夫々期間「２」に亘り発光維持される。又、［１００］なるディザ加算画素データＫＤに応じて、画素セルＧ(1,3)及びＧ(1,4)は、図５に示す如くサブフィールドＳＦ３４のアドレス行程Ｗ４において消灯モードに設定される。よって、画素セルＧ(1,3)及びＧ(1,4)は、サブフィールドＳＦ１のサスティン行程Ｉで期間「４」、サブフィールドＳＦ２１〜ＳＦ２４各々のサスティン行程Ｉで夫々期間「２」、サブフィールドＳＦ３１〜ＳＦ３４各々のサスティン行程Ｉで夫々期間「３」に亘り発光維持される。この際、４つの画素セルＧ(1,1)、Ｇ(1,2)、Ｇ(1,3)、Ｇ(1,4)各々によるサブフィールドＳＦ１での平均発光期間は「４」、サブフィールドＳＦ２１〜ＳＦ２４各々での平均発光期間は「２」、サブフィールドＳＦ３１〜ＳＦ３４各々での平均発光期間は「１．５」となる。従って、１フレーム表示期間内における各サブフィールド毎の平均発光期間の合計「１８」に対応した輝度が視覚される。
【００７７】
［第(４Ｎ−２）番目の表示ラインに属する画素セル］
先ず、４つの画素セルＧ(2,1)、Ｇ(2,2)、Ｇ(2,3)、Ｇ(2,4)各々に対応した画素データＰＤが輝度レベル「９」を表す場合、これにディザ値「４」、「５」、「６」、「７」を夫々加算し、更に各々にラインオフセットデータ「１」を加算してその上位３ビット分を抽出すると、図８に示す如く、
ＫＤ(2,1)＝［０１１］
ＫＤ(2,2)＝［０１１］
ＫＤ(2,3)＝［１００］
ＫＤ(2,4)＝［１００］
なるディザ加算画素データＫＤ(2,1)、ＫＤ(2,2)、ＫＤ(2,3)、ＫＤ(2,4)が生成される。
【００７８】
よって、［０１１］なるディザ加算画素データＫＤに応じて、画素セルＧ(2,1)、及びＧ(2,2)の各々は、図５に示す如く、サブフィールドＳＦ２３のアドレス行程Ｗ３において消灯モードに設定される。よって、画素セルＧ(2,1)及びＧ(2,2)の各々は、サブフィールドＳＦ１のサスティン行程Ｉで期間「４」、サブフィールドＳＦ２１〜ＳＦ２３各々のサスティン行程Ｉで夫々期間「２」に亘り発光維持される。又、［１００］なるディザ加算画素データＫＤに応じて、画素セルＧ(2,3)及びＧ(2,4)は、図５に示す如くサブフィールドＳＦ３３のアドレス行程Ｗ３において消灯モードに設定される。よって、画素セルＧ(2,3)及びＧ(2,4)各々は、サブフィールドＳＦ１のサスティン行程Ｉで期間「４」、サブフィールドＳＦ２１〜ＳＦ２４各々のサスティン行程Ｉで夫々期間「２」、サブフィールドＳＦ３１〜ＳＦ３３各々のサスティン行程Ｉで夫々期間「３」に亘り発光維持される。この際、４つの画素セルＧ(2,1)、Ｇ(2,2)、Ｇ(2,3)、Ｇ(2,4)各々によるサブフィールドＳＦ１での平均発光期間は「４」、サブフィールドＳＦ２１〜ＳＦ２３各々での平均発光期間は「２」、サブフィールドＳＦ２４での平均発光期間は「１」、サブフィールドＳＦ３１〜ＳＦ３３各々での平均発光期間は「１．５」となる。従って、１フレーム表示期間内における各サブフィールド毎の平均発光期間の合計「１５．５」に対応した輝度が視覚される。
【００７９】
又、４つの画素セルＧ(2,1)、Ｇ(2,2)、Ｇ(2,3)、Ｇ(2,4)各々に対応した画素データＰＤが輝度レベル「１０」を表す場合、これにディザ値「４」、「５」、「６」、「７」を夫々加算し、更に各々にラインオフセットデータ「１」を加算してその上位３ビット分を抽出すると、図８に示す如く、
ＫＤ(2,1)＝［０１１］
ＫＤ(2,2)＝［１００］
ＫＤ(2,3)＝［１００］
ＫＤ(2,4)＝［１００］
なるディザ加算画素データＫＤ(2,1)、ＫＤ(2,2)、ＫＤ(2,3)、ＫＤ(2,4)が生成される。
【００８０】
よって、［０１１］なるディザ加算画素データＫＤに応じて、画素セルＧ(2,1)、は、図５に示す如く、サブフィールドＳＦ２３のアドレス行程Ｗ３において消灯モードに設定される。よって、画素セルＧ(2,1)は、サブフィールドＳＦ１のサスティン行程Ｉで期間「４」、サブフィールドＳＦ２１〜ＳＦ２３各々のサスティン行程Ｉで夫々期間「２」に亘り発光維持される。又、［１００］なるディザ加算画素データＫＤに応じて、画素セルＧ(2,2)、Ｇ(2,3)及びＧ(2,4)は、図５に示す如くサブフィールドＳＦ３３のアドレス行程Ｗ３において消灯モードに設定される。よって、画素セルＧ(2,2)、Ｇ(2,3)及びＧ(2,4)各々は、サブフィールドＳＦ１のサスティン行程Ｉで期間「４」、サブフィールドＳＦ２１〜ＳＦ２４各々のサスティン行程Ｉで夫々期間「２」、サブフィールドＳＦ３１〜ＳＦ３３各々のサスティン行程Ｉで夫々期間「３」に亘り発光維持される。この際、４つの画素セルＧ(2,1)、Ｇ(2,2)、Ｇ(2,3)、Ｇ(2,4)各々によるサブフィールドＳＦ１での平均発光期間は「４」、サブフィールドＳＦ２１〜ＳＦ２３各々での平均発光期間は「２」、サブフィールドＳＦ２４での平均発光期間は「１．５」、サブフィールドＳＦ３１〜ＳＦ３３各々での平均発光期間は「２．２５」となる。従って、１フレーム表示期間内における各サブフィールド毎の平均発光期間の合計「１８．２５」に対応した輝度が視覚される。
【００８１】
［第(４Ｎ−１）番目の表示ラインに属する画素セル］
先ず、４つの画素セルＧ(3,1)、Ｇ(3,2)、Ｇ(3,3)、Ｇ(3,4)各々に対応した画素データＰＤが輝度レベル「９」を表す場合、これにディザ値「４」、「５」、「６」、「７」を夫々加算し、更に各々にラインオフセットデータ「２」を加算してその上位３ビット分を抽出すると、図９に示す如く、
ＫＤ(3,1)＝［０１１］
ＫＤ(3,2)＝［１００］
ＫＤ(3,3)＝［１００］
ＫＤ(3,4)＝［１００］
なるディザ加算画素データＫＤ(3,1)、ＫＤ(3,2)、ＫＤ(3,3)、ＫＤ(3,4)が生成される。
【００８２】
よって、［０１１］なるディザ加算画素データＫＤに応じて、画素セルＧ(3,1)、は、図５に示す如く、サブフィールドＳＦ２２のアドレス行程Ｗ２において消灯モードに設定される。よって、画素セルＧ(3,1)は、サブフィールドＳＦ１のサスティン行程Ｉで期間「４」、サブフィールドＳＦ２１及びＳＦ２２各々のサスティン行程Ｉで夫々期間「２」に亘り発光維持される。又、［１００］なるディザ加算画素データＫＤに応じて、画素セルＧ(3,2)、Ｇ(3,3)及びＧ(3,4)の各々は、図５に示す如くサブフィールドＳＦ３２のアドレス行程Ｗ２において消灯モードに設定される。よって、画素セルＧ(3,2)、Ｇ(3,3)及びＧ(3,4)各々は、サブフィールドＳＦ１のサスティン行程Ｉで期間「４」、サブフィールドＳＦ２１〜ＳＦ２４各々のサスティン行程Ｉで夫々期間「２」、サブフィールドＳＦ３１及びＳＦ３２各々のサスティン行程Ｉで夫々期間「３」に亘り発光維持される。この際、４つの画素セルＧ(3,1)、Ｇ(3,2)、Ｇ(3,3)、Ｇ(3,4)各々によるサブフィールドＳＦ１での平均発光期間は「４」、サブフィールドＳＦ２１及びＳＦ２２各々での平均発光期間は「２」、サブフィールドＳＦ２３及びＳＦ２４各々での平均発光期間は「１．５」、サブフィールドＳＦ３１及びＳＦ３２各々での平均発光期間は「２．２５」となる。従って、１フレーム表示期間内における各サブフィールド毎の平均発光期間の合計「１５．５」に対応した輝度が視覚される。
【００８３】
又、４つの画素セルＧ(3,1)、Ｇ(3,2)、Ｇ(3,3)、Ｇ(3,4)各々に対応した画素データＰＤが輝度レベル「１０」を表す場合、これにディザ値「４」、「５」、「６」、「７」を夫々加算し、更に各々にラインオフセットデータ「２」を加算してその上位３ビット分を抽出すると、図９に示す如く、
ＫＤ(3,1)＝［１００］
ＫＤ(3,2)＝［１００］
ＫＤ(3,3)＝［１００］
ＫＤ(3,4)＝［１００］
なるディザ加算画素データＫＤ(3,1)、ＫＤ(3,2)、ＫＤ(3,3)、ＫＤ(3,4)が生成される。
【００８４】
よって、［１００］なるディザ加算画素データＫＤに応じて、画素セルＧ(3,1)、Ｇ(3,2)、Ｇ(3,3)及びＧ(3,4)の各々は、図５に示す如くサブフィールドＳＦ３２のアドレス行程Ｗ２において消灯モードに設定される。よって、画素セルＧ(3,1)、Ｇ(3,2)、Ｇ(3,3)及びＧ(3,4)の各々は、サブフィールドＳＦ１のサスティン行程Ｉで期間「４」、サブフィールドＳＦ２１〜ＳＦ２４各々のサスティン行程Ｉで夫々期間「２」、サブフィールドＳＦ３１及びＳＦ３２各々のサスティン行程Ｉで夫々期間「３」に亘り発光維持される。この際、４つの画素セルＧ(3,1)、Ｇ(3,2)、Ｇ(3,3)、Ｇ(3,4)各々によるサブフィールドＳＦ１での平均発光期間は「４」、サブフィールドＳＦ２１〜ＳＦ２４各々での平均発光期間は「２」、サブフィールドＳＦ３１及びＳＦ３２各々での平均発光期間は「３」となる。従って、１フレーム表示期間内における各サブフィールド毎の平均発光期間の合計「１８」に対応した輝度が視覚される。
【００８５】
［第(４Ｎ）番目の表示ラインに属する画素セル］
先ず、４つの画素セルＧ(4,1)、Ｇ(4,2)、Ｇ(4,3)、Ｇ(4,4)各々に対応した画素データＰＤが輝度レベル「９」を表す場合、これにディザ値「４」、「５」、「６」、「７」を夫々加算し、更に各々にラインオフセットデータ「３」を加算してその上位３ビット分を抽出すると、図１０に示す如く、
ＫＤ(3,1)＝［１００］
ＫＤ(3,2)＝［１００］
ＫＤ(3,3)＝［１００］
ＫＤ(3,4)＝［１００］
なるディザ加算画素データＫＤ(4,1)、ＫＤ(4,2)、ＫＤ(4,3)、ＫＤ(4,4)が生成される。
【００８６】
よって、［１００］なるディザ加算画素データＫＤに応じて、画素セルＧ(4,1)、Ｇ(4,2)、Ｇ(4,3)、Ｇ(4,4)各々は、図５に示す如くサブフィールドＳＦ３１のアドレス行程Ｗ１において消灯モードに設定される。よって、画素セルＧ(4,1)、Ｇ(4,2)、Ｇ(4,3)、Ｇ(4,4)各々は、サブフィールドＳＦ１のサスティン行程Ｉで期間「４」、サブフィールドＳＦ２１〜ＳＦ２４各々のサスティン行程Ｉで夫々期間「２」、サブフィールドＳＦ３１のサスティン行程Ｉで期間「３」に亘り発光維持される。この際、４つの画素セルＧ(4,1)、Ｇ(4,2)、Ｇ(4,3)、Ｇ(4,4)各々によるサブフィールドＳＦ１での平均発光期間は「４」、サブフィールドＳＦ２１〜ＳＦ２４各々での平均発光期間は「２」、サブフィールドＳＦ３１での平均発光期間は「３」となる。従って、１フレーム表示期間内における各サブフィールド毎の平均発光期間の合計「１５」に対応した輝度が視覚される。
【００８７】
又、４つの画素セルＧ(4,1)、Ｇ(4,2)、Ｇ(4,3)、Ｇ(4,4)各々に対応した画素データＰＤが輝度レベル「１０」を表す場合、これにディザ値「４」、「５」、「６」、「７」を夫々加算し、更に各々にラインオフセットデータ「３」を加算してその上位３ビット分を抽出すると、図１０に示す如く、
ＫＤ(3,1)＝［１００］
ＫＤ(3,2)＝［１００］
ＫＤ(3,3)＝［１００］
ＫＤ(3,4)＝［１０１］
なるディザ加算画素データＫＤ(4,1)、ＫＤ(4,2)、ＫＤ(4,3)、ＫＤ(4,4)が生成される。
【００８８】
よって、［１００］なるディザ加算画素データＫＤに応じて、画素セルＧ(4,1)、Ｇ(4,2)、及びＧ(4,3)各々は、図５に示す如くサブフィールドＳＦ３１のアドレス行程Ｗ１において消灯モードに設定される。よって、画素セルＧ(4,1)、Ｇ(4,2)、及びＧ(4,3)各々は、サブフィールドＳＦ１のサスティン行程Ｉで期間「４」、サブフィールドＳＦ２１〜ＳＦ２４各々のサスティン行程Ｉで夫々期間「２」、サブフィールドＳＦ３１のサスティン行程Ｉで期間「３」に亘り発光維持される。又、［１０１］なるディザ加算画素データＫＤに応じて、画素セルＧ(4,4)は、図５に示す如くサブフィールドＳＦ４１のアドレス行程Ｗ１において消灯モードに設定される。よって、画素セルＧ(4,4)は、サブフィールドＳＦ１のサスティン行程Ｉで期間「４」、サブフィールドＳＦ２１〜ＳＦ２４各々のサスティン行程Ｉで夫々期間「２」、サブフィールドＳＦ３１〜ＳＦ３４各々のサスティン行程Ｉで期間「３」、サブフィールドＳＦ４１のサスティン行程Ｉで期間「４」に亘り発光維持される。この際、４つの画素セルＧ(4,1)、Ｇ(4,2)、Ｇ(4,3)、Ｇ(4,4)各々によるサブフィールドＳＦ１での平均発光期間は「４」、サブフィールドＳＦ２１〜ＳＦ２４各々での平均発光期間は「２」、サブフィールドＳＦ３１での平均発光期間は「３」、サブフィールドＳＦ３２〜ＳＦ３４各々での平均発光期間は「０．７５」、サブフィールドＳＦ４１での平均発光期間は「１」となる。従って、１フレーム表示期間内における各サブフィールド毎の平均発光期間の合計「１８．２５」に対応した輝度が視覚される。
【００８９】
以上の如く、図５及び図６に示される駆動では、映像信号が所定輝度レベルよりも低輝度を表す場合には、属する表示ラインに拘わらず、全ての画素セルが映像信号に応じて同一のサブフィールドで発光する、いわゆるラインディザ処理無しの駆動(KD＝[000],[001],[010])が為される。一方、高輝度を表す場合には、隣接した４個の表示ライン毎に各画素セルが映像信号に応じて発光することになるサブフィールドの数が異なる、いわゆるラインディザ処理有りの駆動(KD＝[011],[100],[101)が為される。この際、映像信号が所定輝度レベルよりも低輝度を表す場合には、図６に示す如き連続する４つのサブフィールドＳＦ２１〜ＳＦ２４からなるサブフィールド群ＳＧ２内の全サブフィールドで画素セルを発光させる駆動(KD＝[010])、及び消灯させる駆動(KD＝[000]又は[001])の内のいずれか一方を実行する。一方、映像信号が所定輝度レベルよりも高輝度を表す場合には、サブフィールド群ＳＧ２及びこのＳＧ２に後続しかつ夫々が連続した４つのサブフィールドからなるサブフィールド群ＳＧ３及びＳＧ４内において以下の如き駆動を行う。つまり、サブフィールド群ＳＧ２〜ＳＧ３各々に属する一連のサブフィールドＳＦ２１〜ＳＦ２４、ＳＦ３１〜ＳＦ３４、ＳＦ４１〜ＳＦ４４の内で、映像信号によって表される輝度レベルに対応した数の連続したサブフィールドにて画素セルを発光させるべき駆動(KD＝[011],[100],[101])が為される。
【００９０】
従って、サブフィールドＳＦ２１〜ＳＦ２４からなるサブフィールド群ＳＧ２では、映像信号が所定輝度レベルよりも低輝度を表す場合にはラインディザ処理無し駆動が為され、所定輝度レベルよりも高輝度を表す場合にはラインディザ処理有り駆動が為される。つまり、サブフィールド群ＳＧ２は、ラインディザ処理無し駆動時における階調と、ラインディザ処理有り駆動時における階調との繋ぎを為す階調歪補正サブフィールド群となる。
【００９１】
かかる駆動によれば、図７〜図１０に示されるように、ＳＦ１によるラインディザ処理無し駆動によって表現される輝度（輝度レベル「４」）と、ＳＦ２１〜ＳＦ２４によるラインディザ処理無し駆動によって表現される輝度（輝度レベル「６」又は「８」）との輝度差は、いずれの表示ラインに属する画素セルでも「２」となる。よって、低輝度を表現する階調（ラインディザ処理無し）及びこの階調よりも高輝度を表現する階調（ラインディザ処理有り）間での輝度差を、いずれの表示ラインに属する画素セルにおいても同一にすることができる。これにより、表示ノイズの低減された高品質な画像表示が可能になる。
【００９２】
尚、上記実施例においては、第(４Ｎ）番目の表示ライン、第(４Ｎ−１）番目の表示ライン、第(４Ｎ−２）番目の表示ライン、第(４Ｎ−３）番目の表示ラインの如き、隣接する４つの表示ラインを１単位としてラインディザ処理を行う動作を説明したが、４つに限らず、６、８又はそれ以上の複数であっても構わない。
この際、例えば、４つのサブフィールドＳＦ２１〜ＳＦ２４をＭ個のサブフィールドＳＦ２１〜ＳＦ２(Ｍ)に変更し、
ＳＦ２１のアドレス行程で第（Ｍ・Ｎ）番目の表示ライン、
ＳＦ２２のアドレス行程で第（Ｍ・Ｎ−１）番目の表示ライン、
ＳＦ２３のアドレス行程で第（Ｍ・Ｎ−２）番目の表示ライン、
・
・
・
ＳＦ２(Ｍ)のアドレス行程で第(Ｍ・Ｎ−Ｍ＋１)番目の表示ライン、
に属する画素セルに対して画素データに応じた設定（点灯モード又は消灯モード）を行うようにすれば良いのである。
【実施例２】
【００９３】
図１１は、本発明による他の駆動方法に従ってプラズマディスプレイパネルの駆動を行うプラズマディスプレイ装置の概略構成を示す図である。
【００９４】
尚、図１１に示されるプラズマディスプレイ装置は、図３に示されるプラズマディスプレイ装置に平均輝度演算回路９０を付加し、且つ駆動制御回路６０に代わり駆動制御回路１６０を採用したものである。そこで、以下に、かかる平均輝度演算回路９の動作、並びに駆動制御回路１６０による制御動作についてのみ説明する。
【００９５】
平均輝度演算回路９０は、入力映像信号に基づき、画像１フレーム分（又は１フィールド分）毎の平均輝度レベルを算出し、その平均輝度レベルを示す平均輝度信号ＡＰＬを駆動制御回路１６０に供給する。
【００９６】
駆動制御回路１６０は、平均輝度信号ＡＰＬにて示される平均輝度レベルが所定の基準輝度レベルよりも大である場合には、図１２に示す如き第１発光駆動シーケンスに従ってＰＤＰ１００を階調駆動させるべき各種タイミング信号を、列電極ドライバ５０、行電極Ｙドライバ７０及び行電極Ｘドライバ８０の各々に供給する。一方、平均輝度信号ＡＰＬにて示される平均輝度レベルが所定の基準輝度レベルよりも小である場合には、駆動制御回路１６０は、図１３に示す如き第２発光駆動シーケンスに従ってＰＤＰ１００を階調駆動させるべき各種タイミング信号を、列電極ドライバ５０、行電極Ｙドライバ７０及び行電極Ｘドライバ８０の各々に供給する。
【００９７】
すなわち、パネル駆動部（駆動制御回路１６０、列電極ドライバ５０、行電極Ｙドライバ７０及び行電極Ｘドライバ８０）は、入力映像信号の平均輝度レベルが高い場合には図１２に示す第１発光駆動シーケンス、低い場合には図１３に示す第２発光駆動シーケンスに従ってＰＤＰ１００に対する階調駆動を実施するのである。
【００９８】
以下に、図１２に示す如き第１発光駆動シーケンスに従った駆動、及び図１３に示す如き第２発光駆動シーケンスに従った駆動について個別に説明する。
【００９９】
(1) 第１発光駆動シーケンスに従った駆動
先ず、先頭のサブフィールドＳＦ０においてパネル駆動部は、ＰＤＰ１００の全画素セルを点灯モードに初期化するリセット行程Ｒと、画素駆動データビットに応じて選択的に各画素セルを消灯モードに遷移させるアドレス行程Ｗ０とを順次実行する。
【０１００】
次に、サブフィールドＳＦ１においてパネル駆動部は、点灯モードにある画素セルのみを期間「４」に亘り発光維持させるサスティン行程Ｉと、上記アドレス行程Ｗ０とを順次実行する。
【０１０１】
次に、サブフィールドＳＦ２１においてパネル駆動部は、点灯モードにある画素セルのみを期間「２」に亘り発光維持させるサスティン行程Ｉと、画素駆動データビットに応じて第(４Ｎ）番目の表示ラインに属する画素セル各々を選択的に消灯モードに推移せしめるアドレス行程Ｗ１とを順次実行する。次に、サブフィールドＳＦ２２においてパネル駆動部は、点灯モードにある画素セルのみを期間「２」に亘り発光維持させるサスティン行程Ｉと、画素駆動データビットに応じて第(４Ｎ−１）番目の表示ラインに属する画素セル各々を選択的に消灯モードに推移せしめるアドレス行程Ｗ２とを順次実行する。次に、サブフィールドＳＦ２３においてパネル駆動部は、点灯モードにある画素セルのみを期間「２」に亘り発光維持させるサスティン行程Ｉと、画素駆動データビットに応じて第(４Ｎ−２）番目の表示ラインに属する画素セル各々を選択的に消灯モードに推移せしめるアドレス行程Ｗ３とを順次実行する。次に、サブフィールドＳＦ２４においてパネル駆動部は、点灯モードにある画素セルのみを期間「２」に亘り発光維持させるサスティン行程Ｉと、画素駆動データビットに応じて、全画素セルを対象として各画素セルを選択的に消灯モードに推移せしめるアドレス行程Ｗ０とを順次実行する。
【０１０２】
次に、サブフィールドＳＦ３１においてパネル駆動部は、点灯モードにある画素セルのみを期間「３」に亘り発光維持させるサスティン行程Ｉと、画素駆動データビットに応じて第(４Ｎ）番目の表示ラインに属する画素セル各々を選択的に消灯モードに推移せしめるアドレス行程Ｗ１とを順次実行する。次に、サブフィールドＳＦ３２においてパネル駆動部は、点灯モードにある画素セルのみを期間「３」に亘り発光維持させるサスティン行程Ｉと、画素駆動データビットに応じて第(４Ｎ−１）番目の表示ラインに属する画素セル各々を選択的に消灯モードに推移せしめるアドレス行程Ｗ２とを順次実行する。次に、サブフィールドＳＦ３３においてパネル駆動部は、点灯モードにある画素セルのみを期間「３」に亘り発光維持させるサスティン行程Ｉと、画素駆動データビットに応じて第(４Ｎ−２）番目の表示ラインに属する画素セル各々を選択的に消灯モードに推移せしめるアドレス行程Ｗ３とを順次実行する。次に、サブフィールドＳＦ３４においてパネル駆動部は、点灯モードにある画素セルのみを期間「３」に亘り発光維持させるサスティン行程Ｉと、画素駆動データビットに応じて第(４Ｎ−３）番目の表示ラインに属する画素セル各々を選択的に消灯モードに推移せしめるアドレス行程Ｗ４とを順次実行する。
【０１０３】
次に、サブフィールドＳＦ４１においてパネル駆動部は、点灯モードにある画素セルのみを期間「４」に亘り発光維持させるサスティン行程Ｉと、画素駆動データビットに応じて第(４Ｎ）番目の表示ラインに属する画素セル各々を選択的に消灯モードに推移せしめるアドレス行程Ｗ１とを順次実行する。次に、サブフィールドＳＦ４２においてパネル駆動部は、点灯モードにある画素セルのみを期間「４」に亘り発光維持させるサスティン行程Ｉと、画素駆動データビットに応じて第(４Ｎ−１）番目の表示ラインに属する画素セル各々を選択的に消灯モードに推移せしめるアドレス行程Ｗ２とを順次実行する。次に、サブフィールドＳＦ４３においてパネル駆動部は、点灯モードにある画素セルのみを期間「４」に亘り発光維持させるサスティン行程Ｉと、画素駆動データビットに応じて第(４Ｎ−２）番目の表示ラインに属する画素セル各々を選択的に消灯モードに推移せしめるアドレス行程Ｗ３とを順次実行する。次に、サブフィールドＳＦ４４においてパネル駆動部は、点灯モードにある画素セルのみを期間「４」に亘り発光維持させるサスティン行程Ｉと、画素駆動データビットに応じて第(４Ｎ−３）番目の表示ラインに属する画素セル各々を選択的に消灯モードに推移せしめるアドレス行程Ｗ４とを順次実行する。
【０１０４】
次に、サブフィールドＳＦ５１においてパネル駆動部は、点灯モードにある画素セルのみを期間「５」に亘り発光維持させるサスティン行程Ｉと、画素駆動データビットに応じて第(４Ｎ）番目の表示ラインに属する画素セル各々を選択的に消灯モードに推移せしめるアドレス行程Ｗ１とを順次実行する。次に、サブフィールドＳＦ５２においてパネル駆動部は、点灯モードにある画素セルのみを期間「５」に亘り発光維持させるサスティン行程Ｉと、画素駆動データビットに応じて第(４Ｎ−１）番目の表示ラインに属する画素セル各々を選択的に消灯モードに推移せしめるアドレス行程Ｗ２とを順次実行する。次に、サブフィールドＳＦ５３においてパネル駆動部は、点灯モードにある画素セルのみを期間「５」に亘り発光維持させるサスティン行程Ｉと、画素駆動データビットに応じて第(４Ｎ−２）番目の表示ラインに属する画素セル各々を選択的に消灯モードに推移せしめるアドレス行程Ｗ３とを順次実行する。次に、サブフィールドＳＦ５４においてパネル駆動部は、点灯モードにある画素セルのみを期間「５」に亘り発光維持させるサスティン行程Ｉと、画素駆動データビットに応じて第(４Ｎ−３）番目の表示ラインに属する画素セル各々を選択的に消灯モードに推移せしめるアドレス行程Ｗ４とを順次実行する。
【０１０５】
ここで、図１２に示す第２発光駆動シーケンスでは、単位表示期間としての１フレーム表示期間内のサブフィールド各々の内で、画素セルを消灯モードから点灯モード状態に推移させることが可能な機会は、先頭のサブフィールドＳＦ０のリセット行程Ｒだけである。つまり、サブフィールドＳＦ０、ＳＦ１、ＳＦ２１〜ＳＦ２４、ＳＦ３１〜ＳＦ３４、ＳＦ４１〜ＳＦ４４、ＳＦ５１〜ＳＦ５４の内の１のサブフィールドのアドレス行程（Ｗ０、Ｗ１、Ｗ２、Ｗ３又はＷ４）で画素セルが消灯モードに設定されると、それ以降のサブフィールドではこの画素セルを点灯モードに復帰させることは出来ない。この際、画素駆動データビットが論理レベル１である場合にそのビット桁に対応したサブフィールドのアドレス行程（Ｗ０、Ｗ１、Ｗ２、Ｗ３又はＷ４）で画素セルが消灯モードに設定される。
【０１０６】
よって、各画素セルは、図１４の黒丸印にて示されるサブフィールドのアドレス行程で消灯モードに設定されるまでの間、先頭から連続したサブフィールド各々のサスティン行程Ｉにてサスティン放電発光(白丸に示す)する。この際、このサスティン放電発光による１フレーム表示期間内での総発光期間に対応した中間輝度が視覚される。
【０１０７】
すなわち、パネル駆動部は、入力映像信号によって示される輝度レベルを７段階で表すディザ加算画素データＫＤに応じて、夫々１フレーム表示期間内での総発光期間が異なる図１４に示す如き発光パターンに従った駆動を実施するのである。
【０１０８】
例えば、ディザ加算画素データＫＤが最低の輝度レベルを表す［０００］である場合、パネル駆動部は、黒丸印にて示されるように、先頭のサブフィールドＳＦ０のアドレス行程Ｗ０において画素セルを消灯モードに設定する。この際、１フレーム表示期間を通して一切、サスティン放電発光が為されないので、最低の輝度レベル０が表現される。
【０１０９】
又、ディザ加算画素データＫＤが上記［０００］よりも１段階だけ高輝度を表す[００１]である場合、パネル駆動部は、黒丸印にて示されるように、サブフィールドＳＦ１のアドレス行程Ｗ０のみで画素セルを消灯モードに設定する。この際、１フレーム表示期間を通して、サブフィールドＳＦ１のサスティン行程Ｉのみで期間「４」に亘りサスティン放電発光が為されるので、この期間「４」に対応した輝度レベルが表現される。
【０１１０】
又、ディザ加算画素データＫＤが上記［００１］よりも１段階だけ高輝度を表す[０１０]である場合、パネル駆動部は、黒丸印にて示されるように、サブフィールドＳＦ２４のアドレス行程Ｗ０のみで画素セルを消灯モードに設定する。この際、サブフィールドＳＦ１のサスティン行程Ｉにて期間「４」、サブフィールドＳＦ２１〜ＳＦ２４各々のサスティン行程Ｉにおいて夫々期間「２」に亘りサスティン放電発光が為されるので、その総発光期間「１２」に対応した輝度レベルが表現される。
【０１１１】
尚、ディザ加算画素データＫＤが［０１１］以上の高輝度を表す場合、パネル駆動部は、画面上下方向において隣接する４つの表示ライン各々に属する画素セル、つまり、
第(４Ｎ−３）番目の表示ラインに属する画素セル、
第(４Ｎ−２）番目の表示ラインに属する画素セル、
第(４Ｎ−１）番目の表示ラインに属する画素セル、
第(４Ｎ）番目の表示ラインの各々に属する画素セル、
の各々毎に、ディザ加算画素データＫＤに応じた１フレーム表示期間内での発光パターンを異ならせた発光駆動を実行する。
【０１１２】
例えば、ディザ加算画素データＫＤが［０１１］である場合、パネル駆動部は、第(４Ｎ）番目の表示ライン、つまり第４、第８、第１２、・・・、第ｎ表示ライン各々に属する画素セルに対しては、黒丸印にて示されるように、サブフィールドＳＦ２１のアドレス行程Ｗ１のみで画素セルを消灯モードに設定する。この際、第(４Ｎ）番目の表示ラインに属する画素セルは、サブフィールドＳＦ１及びＳＦ２１各々のサスティン行程Ｉのみでサスティン放電発光が為されるので、その総発光期間「６」に対応した輝度レベルが表現される。又、第(４Ｎ−１）番目の表示ライン、つまり第３、第７、第１１、・・・、第(ｎ−１)表示ライン各々に属する画素セルに対しては、パネル駆動部は、サブフィールドＳＦ２２のアドレス行程Ｗ２のみで画素セルを消灯モードに設定する。この際、第(４Ｎ−１）番目の表示ラインに属する画素セルは、サブフィールドＳＦ１、ＳＦ２１及びＳＦ２２各々のサスティン行程Ｉのみでサスティン放電発光が為されるので、その総発光期間「８」に対応した輝度レベルが表現される。又、第(４Ｎ−２）番目の表示ライン、つまり第２、第６、第１０、・・・、第(ｎ−２)表示ライン各々に属する画素セルに対しては、パネル駆動部は、サブフィールドＳＦ２３のアドレス行程Ｗ３のみで画素セルを消灯モードに設定する。この際、第(４Ｎ−２）番目の表示ラインに属する画素セルは、サブフィールドＳＦ１、ＳＦ２１〜ＳＦ２３各々のサスティン行程Ｉのみでサスティン放電発光が為されるので、その総発光期間「１０」に対応した輝度レベルが表現される。又、第(４Ｎ−３）番目の表示ライン、つまり第１、第５、第９、・・・、第(ｎ−３)表示ライン各々に属する画素セルに対しては、パネル駆動部は、サブフィールドＳＦ２４のアドレス行程Ｗ０のみで画素セルを消灯モードに設定する。この際、第(４Ｎ−３）番目の表示ラインに属する画素セルは、サブフィールドＳＦ１、ＳＦ２１〜ＳＦ２４各々のサスティン行程Ｉのみでサスティン放電発光が為されるので、その総発光期間「１２」に対応した輝度レベルが表現される。
【０１１３】
すなわち、［０１１］なるディザ加算画素データＫＤに応じて、
第(４Ｎ）番目の表示ラインに属する画素セルは「６」、
第(４Ｎ−１）番目の表示ラインに属する画素セルは「８」、
第(４Ｎ−２）番目の表示ラインに属する画素セルは「１０」、
第(４Ｎ−３）番目の表示ラインに属する画素セルは「１２」、
なる輝度レベルで夫々発光することになる。
【０１１４】
同様に、［０１１］よりも１段階だけ高輝度を表す[１００]なるディザ加算画素データＫＤに応じて、
第(４Ｎ）番目の表示ラインに属する画素セルは「１５」、
第(４Ｎ−１）番目の表示ラインに属する画素セルは「１８」、
第(４Ｎ−２）番目の表示ラインに属する画素セルは「２１」、
第(４Ｎ−３）番目の表示ラインに属する画素セルは「２４」、
なる輝度レベルで夫々発光することになる。
【０１１５】
又、［１００］よりも１段階だけ高輝度を表す[１０１]なるディザ加算画素データＫＤに応じて、
第(４Ｎ）番目の表示ラインに属する画素セルは「２８」、
第(４Ｎ−１）番目の表示ラインに属する画素セルは「３２」、
第(４Ｎ−２）番目の表示ラインに属する画素セルは「３６」、
第(４Ｎ−３）番目の表示ラインに属する画素セルは「４０」、
なる輝度レベルで夫々発光することになる。
【０１１６】
そして、最大輝度レベルを表す［１１０］なるディザ加算画素データＫＤに応じて、
第(４Ｎ）番目の表示ラインに属する画素セルは「４５」、
第(４Ｎ−１）番目の表示ラインに属する画素セルは「５０」、
第(４Ｎ−２）番目の表示ラインに属する画素セルは「５５」、
第(４Ｎ−３）番目の表示ラインに属する画素セルは「６０」、
なる輝度レベルで夫々発光することになる。
【０１１７】
要するに、第１発光駆動シーケンスに従った駆動では、ディザ加算画素データＫＤが［０１１］以上の高輝度を表す場合に限り、前述した如きラインディザ処理が実施されるのである。この際、低輝度成分の発光を担うサブフィールドＳＦ１（ラインディザ処理無し）に後続し、且つＳＦ１よりも１段階だけ高輝度な発光を担うサブフィールドＳＦ２１〜ＳＦ２４では、ラインディザ処理無しの駆動（ＫＤ＝［０１０］）と、ラインディザ処理有りの駆動（ＫＤ＝［０１１］）の双方が為される。
【０１１８】
ここで、上記ディザ加算画素データＫＤは、入力映像信号に対応した画素データＰＤに、前述した如きラインオフセットデータ及びディザ値を加算して得られた５ビットの加算結果から上位３ビット分を抽出して得られたものである。従って、例えば、画面の上下左右方向に隣接する４×４画素からなる１６個の画素（画素セル）各々に対応した画素データＰＤが全て同一の輝度レベルを表す場合であっても、各画素の１フレーム表示期間内での発光パターンは必ずしも同一とはならない。この際、隣接する４つの画素各々による各サブフィールド毎の平均発光期間の合計期間（１フレーム表示期間内での）に対応した輝度レベルが視覚されることになる。
【０１１９】
図１５〜図１８は、各表示ライン上において互いに隣接して配置されている４つの画素セルを抜粋して、上記ディザ加算画素データＫＤに応じた、上記４つの画素セル各々の発光による平均発光期間を各サブフィールド毎に示す図である。  この際、図１５は、第(４Ｎ−３）番目の表示ライン上において夫々隣接して配置されている例えば画素セルＧ(1,1)、Ｇ(1,2)、Ｇ(1,3)、Ｇ(1,4)各々に対応したディザ加算画素データＫＤ(1,1)、ＫＤ(1,2)、ＫＤ(1,3)、ＫＤ(1,4)と、これら画素セルＧ(1,1)、Ｇ(1,2)、Ｇ(1,3)、Ｇ(1,4)各々の発光による各サブフィールドでの平均発光期間とを示す図である。又、図１６は、第(４Ｎ−２）番目の表示ラインに属する例えば画素セルＧ(2,1)、Ｇ(2,2)、Ｇ(2,3)、Ｇ(2,4)各々に対応したディザ加算画素データＫＤ(2,1)、ＫＤ(2,2)、ＫＤ(2,3)、ＫＤ(2,4)と、これら４つの画素セルＧ(2,1)、Ｇ(2,2)、Ｇ(2,3)、Ｇ(2,4)各々の発光による各サブフィールドでの平均発光期間とを示す図ある。又、図１７は、第(４Ｎ−１）番目の表示ラインに属する例えば画素セルＧ(3,1)、Ｇ(3,2)、Ｇ(3,3)、Ｇ(3,4)各々に対応したディザ加算画素データＫＤ(3,1)、ＫＤ(3,2)、ＫＤ(3,3)、ＫＤ(3,4)と、これら４つの画素セルＧ(3,1)、Ｇ(3,2)、Ｇ(3,3)、Ｇ(3,4)各々の発光による各サブフィールドでの平均発光期間とを示す図である。又、図１８は、第(４Ｎ）番目の表示ラインに属する例えば画素セルＧ(4,1)、Ｇ(4,2)、Ｇ(4,3)、Ｇ(4,4)各々に対応したディザ加算画素データＫＤ(4,1)、ＫＤ(4,2)、ＫＤ(4,3)、ＫＤ(4,4)と、これら４つの画素セルＧ(4,1)、Ｇ(4,2)、Ｇ(4,3)、Ｇ(4,4)各々の発光による各サブフィールドでの平均発光期間とを示す図である。
【０１２０】
以上の如く、図１２に示される第１発光駆動シーケンスに従った駆動では、ディザ加算画素データＫＤが［０１１］よりも低輝度を表す場合には、図１４に示す如く、全画素セルが映像信号に応じて同一のサブフィールドで発光する、いわゆるラインディザ処理無しの駆動(KD＝[000],[001],[010])を実行する。この際、図１２に示す如き連続する４つのサブフィールドＳＦ２１〜ＳＦ２４からなるサブフィールド群ＳＧ２内では、図１４に示す如く、全サブフィールドで画素セルを発光させる駆動(KD＝[010])、及び消灯させる駆動(KD＝[000]又は[001])の内のいずれか一方が実行される。一方、ディザ加算画素データＫＤが［０１１］以上の高輝度を表す場合には、図１４に示す如く、隣接する４個の表示ライン各々毎に、その表示ライン上の画素セルが発光状態となるサブフィールドの数が異なる、いわゆるラインディザ処理有りの駆動(KD＝[011],[100],[101],[110])を実行する。この際、上記サブフィールド群ＳＧ２内では、図１４に示す如く、全サブフィールドで画素セルを発光させる駆動(KD＝[100]〜[110])、及び隣接する４個の表示ライン各々毎にその表示ライン上の画素セルが発光状態となるサブフィールドの数が異なる駆動(KD＝[011]）の内のいずれか一方が実行される。つまり、サブフィールドＳＦ２１〜ＳＦ２４からなるサブフィールド群ＳＧ２が、ラインディザ処理無し駆動時における階調と、ラインディザ処理有り駆動時における階調との繋ぎを為す階調歪補正サブフィールド群となる。
【０１２１】
以上の如き駆動によれば、図１５〜図１８に示すように、ＳＦ１によるラインディザ処理無し駆動によって表現される輝度（輝度レベル「４」）と、ＳＦ２１〜ＳＦ２４によるラインディザ処理無し駆動によって表現される輝度（輝度レベル「６」又は「８」）との輝度差は、いずれの表示ラインに属する画素セルでも「２」となる。よって、低輝度を表現する階調（ラインディザ処理無し）及びこの階調よりも高輝度を表現する階調（ラインディザ処理有り）間での輝度差を、いずれの表示ラインに属する画素セルにおいても同一にすることができる。これにより、表示ノイズの低減された高品質な画像表示が可能になる。
【０１２２】
(2) 第２発光駆動シーケンスに従った駆動
図１３に示す第２発光駆動シーケンスでは、図１２に示されるサブフィールドＳＦ２１〜ＳＦ２４に代わり単一のサブフィールドＳＦ２を実行し、サブフィールドＳＦ３４にてアドレス行程Ｗ４に代わりアドレス行程Ｗ０を実行する点を除く他の動作は、図１２に示される第１発光駆動シーケンスと同様である。この際、かかるサブフィールドＳＦ２において、パネル駆動部は、点灯モードにある画素セルのみを期間「８」に亘り発光維持させるサスティン行程Ｉと、画素駆動データビットに応じて、全画素セルを対象として各画素セルを選択的に消灯モードに推移せしめるアドレス行程Ｗ０とを順次実行する。
【０１２３】
従って、第２発光駆動シーケンスによれば、各画素セルは、図１９の黒丸印にて示されるサブフィールドのアドレス行程で消灯モードに設定されるまでの間、先頭から連続したサブフィールド各々のサスティン行程Ｉにおいてサスティン放電発光(白丸に示す)が為されることになる。この際、かかる放電発光による１フレーム表示期間内での総発光期間に対応した中間輝度が視覚される。
【０１２４】
すなわち、パネル駆動部は、入力映像信号によって示される輝度レベルを７段階で表すディザ加算画素データＫＤに応じて、夫々１フレーム表示期間内での総発光期間が異なる図１９に示す如き発光パターンに従った駆動を実施するのである。
【０１２５】
例えば、ディザ加算画素データＫＤが最低の輝度レベルを表す［０００］である場合、パネル駆動部は、黒丸印にて示されるように、先頭のサブフィールドＳＦ０のアドレス行程Ｗ０において画素セルを消灯モードに設定する。この際、１フレーム表示期間を通して一切、サスティン放電発光が為されないので、最低の輝度レベル０が表現される。
【０１２６】
又、ディザ加算画素データＫＤが上記［０００］よりも１段階だけ高輝度を表す[００１]である場合、パネル駆動部は、黒丸印にて示されるように、サブフィールドＳＦ１のアドレス行程Ｗ０のみで画素セルを消灯モードに設定する。この際、１フレーム表示期間を通して、サブフィールドＳＦ１のサスティン行程Ｉのみで期間「４」に亘りサスティン放電発光が為されるので、この期間「４」に対応した輝度レベルが表現される。
【０１２７】
又、ディザ加算画素データＫＤが上記［００１］よりも１段階だけ高輝度を表す[０１０]である場合、パネル駆動部は、黒丸印にて示されるように、サブフィールドＳＦ２のアドレス行程Ｗ０のみで画素セルを消灯モードに設定する。この際、サブフィールドＳＦ１のサスティン行程Ｉにて期間「４」、サブフィールドＳＦ２のサスティン行程Ｉにおいて夫々期間「８」に亘りサスティン放電発光が為されるので、その総発光期間「１２」に対応した輝度レベルが表現される。
【０１２８】
又、ディザ加算画素データＫＤが上記［０１０］よりも１段階だけ高輝度を表す[０１１]である場合、パネル駆動部は、黒丸印にて示されるように、サブフィールドＳＦ３４のアドレス行程Ｗ０のみで画素セルを消灯モードに設定する。この際、サブフィールドＳＦ１のサスティン行程Ｉにて期間「４」、ＳＦ２のサスティン行程Ｉにて期間「８」、ＳＦ３１〜ＳＦ３４各々のサスティン行程Ｉにおいて夫々期間「３」に亘りサスティン放電発光が為されるので、総発光期間「２４」に対応した輝度レベルが表現される。
【０１２９】
尚、ディザ加算画素データＫＤが［１００］以上の高輝度を表す場合、パネル駆動部は、画面上下方向において隣接する４つの表示ライン各々に属する画素セル、つまり、
第(４Ｎ−３）番目の表示ラインに属する画素セル、
第(４Ｎ−２）番目の表示ラインに属する画素セル、
第(４Ｎ−１）番目の表示ラインに属する画素セル、
第(４Ｎ）番目の表示ラインの各々に属する画素セル、
の各々毎に、ディザ加算画素データＫＤに応じた１フレーム表示期間内での発光パターンを異ならせた駆動、いわゆるラインディザ処理を実行する。
【０１３０】
例えば、ディザ加算画素データＫＤが［１００］である場合、パネル駆動部は、第(４Ｎ）番目の表示ライン、つまり第４、第８、第１２、・・・、第ｎ表示ライン各々に属する画素セルに対しては、黒丸印にて示されるように、サブフィールドＳＦ３１のアドレス行程Ｗ１のみで画素セルを消灯モードに設定する。この際、第(４Ｎ）番目の表示ラインに属する画素セルは、サブフィールドＳＦ１、ＳＦ２及びＳＦ３１各々のサスティン行程Ｉのみでサスティン放電発光が為されるので、その総発光期間「１５」に対応した輝度レベルが表現される。又、第(４Ｎ−１）番目の表示ライン、つまり第３、第７、第１１、・・・、第(ｎ−１)表示ライン各々に属する画素セルに対しては、パネル駆動部は、サブフィールドＳＦ３２のアドレス行程Ｗ２のみで画素セルを消灯モードに設定する。この際、第(４Ｎ−１）番目の表示ラインに属する画素セルは、サブフィールドＳＦ１、ＳＦ２、ＳＦ３１及びＳＦ３２各々のサスティン行程Ｉのみでサスティン放電発光が為されるので、その総発光期間「１８」に対応した輝度レベルが表現される。又、第(４Ｎ−２）番目の表示ライン、つまり第２、第６、第１０、・・・、第(ｎ−２)表示ライン各々に属する画素セルに対しては、パネル駆動部は、サブフィールドＳＦ３３のアドレス行程Ｗ３のみで画素セルを消灯モードに設定する。この際、第(４Ｎ−２）番目の表示ラインに属する画素セルは、サブフィールドＳＦ１、ＳＦ２、ＳＦ３１〜ＳＦ３３各々のサスティン行程Ｉのみでサスティン放電発光が為されるので、その総発光期間「２１」に対応した輝度レベルが表現される。又、第(４Ｎ−３）番目の表示ライン、つまり第１、第５、第９、・・・、第(ｎ−３)表示ライン各々に属する画素セルに対しては、パネル駆動部は、サブフィールドＳＦ３４のアドレス行程Ｗ０のみで画素セルを消灯モードに設定する。この際、第(４Ｎ−３）番目の表示ラインに属する画素セルは、サブフィールドＳＦ１、ＳＦ２、ＳＦ３１〜ＳＦ３４各々のサスティン行程Ｉのみでサスティン放電発光が為されるので、その総発光期間「２４」に対応した輝度レベルが表現される。
【０１３１】
すなわち、［１００］なるディザ加算画素データＫＤに応じて、
第(４Ｎ）番目の表示ラインに属する画素セルは「１５」、
第(４Ｎ−１）番目の表示ラインに属する画素セルは「１８」、
第(４Ｎ−２）番目の表示ラインに属する画素セルは「２１」、
第(４Ｎ−３）番目の表示ラインに属する画素セルは「２４」、
なる輝度レベルで夫々発光することになる。
【０１３２】
同様に、［１００］よりも１段階だけ高輝度を表す[１０１]なるディザ加算画素データＫＤに応じて、
第(４Ｎ）番目の表示ラインに属する画素セルは「２８」、
第(４Ｎ−１）番目の表示ラインに属する画素セルは「３２」、
第(４Ｎ−２）番目の表示ラインに属する画素セルは「３６」、
第(４Ｎ−３）番目の表示ラインに属する画素セルは「４０」、
なる輝度レベルで夫々発光することになる。
【０１３３】
そして、最大輝度レベルを表す[１１０]なるディザ加算画素データＫＤに応じて、
第(４Ｎ）番目の表示ラインに属する画素セルは「４５」、
第(４Ｎ−１）番目の表示ラインに属する画素セルは「５０」、
第(４Ｎ−２）番目の表示ラインに属する画素セルは「５５」、
第(４Ｎ−３）番目の表示ラインに属する画素セルは「６０」、
なる輝度レベルで夫々発光することになる。
【０１３４】
要するに、図１３に示される第２発光駆動シーケンスに従った駆動では、ディザ加算画素データＫＤが［１００］以上の高輝度を表す場合において、前述した如きラインディザ処理を実行するのである。この際、低輝度成分の発光を担うサブフィールドＳＦ１及びＳＦ２（共にラインディザ処理無し）に後続し、且つＳＦ２よりも１段階だけ高輝度な発光を担うサブフィールド群ＳＧ３では、ラインディザ処理無しの駆動（ＫＤ＝［０１１］）と、ラインディザ処理有りの駆動（ＫＤ＝［１００］）の双方が為される。
【０１３５】
図２０〜図２３は、各表示ライン上において互いに隣接して配置されている４つの画素セルを抜粋して、上記ディザ加算画素データＫＤに応じた、上記４つの画素セル各々の発光による平均発光期間を各サブフィールド毎に示す図である。  この際、図２０は、第(４Ｎ−３）番目の表示ライン上において夫々隣接して配置されている例えば画素セルＧ(1,1)、Ｇ(1,2)、Ｇ(1,3)、Ｇ(1,4)各々に対応したディザ加算画素データＫＤ(1,1)、ＫＤ(1,2)、ＫＤ(1,3)、ＫＤ(1,4)と、これら画素セルＧ(1,1)、Ｇ(1,2)、Ｇ(1,3)、Ｇ(1,4)各々の発光による各サブフィールドでの平均発光期間とを示す図である。又、図２１は、第(４Ｎ−２）番目の表示ラインに属する例えば画素セルＧ(2,1)、Ｇ(2,2)、Ｇ(2,3)、Ｇ(2,4)各々に対応したディザ加算画素データＫＤ(2,1)、ＫＤ(2,2)、ＫＤ(2,3)、ＫＤ(2,4)と、これら４つの画素セルＧ(2,1)、Ｇ(2,2)、Ｇ(2,3)、Ｇ(2,4)各々の発光による各サブフィールドでの平均発光期間とを示す図ある。又、図２２は、第(４Ｎ−１）番目の表示ラインに属する例えば画素セルＧ(3,1)、Ｇ(3,2)、Ｇ(3,3)、Ｇ(3,4)各々に対応したディザ加算画素データＫＤ(3,1)、ＫＤ(3,2)、ＫＤ(3,3)、ＫＤ(3,4)と、これら４つの画素セルＧ(3,1)、Ｇ(3,2)、Ｇ(3,3)、Ｇ(3,4)各々の発光による各サブフィールドでの平均発光期間とを示す図である。又、図２３は、第(４Ｎ）番目の表示ラインに属する例えば画素セルＧ(4,1)、Ｇ(4,2)、Ｇ(4,3)、Ｇ(4,4)各々に対応したディザ加算画素データＫＤ(4,1)、ＫＤ(4,2)、ＫＤ(4,3)、ＫＤ(4,4)と、これら４つの画素セルＧ(4,1)、Ｇ(4,2)、Ｇ(4,3)、Ｇ(4,4)各々の発光による各サブフィールドでの平均発光期間とを示す図である。
【０１３６】
このように、第２発光駆動シーケンスに従った駆動では、ディザ加算画素データＫＤが［１００］よりも低輝度を表す場合には、図１９に示す如く、属する表示ラインに拘わらずに各画素セルが同一のサブフィールドで発光する、いわゆるラインディザ処理無しの駆動(KD＝[000],[001],[010],[011])が為される。この際、図１３に示す如き連続する４つのサブフィールドＳＦ３１〜ＳＦ３４からなるサブフィールド群ＳＧ３内では、図１９に示す如く、属する表示ラインに拘わらずに各画素セルを発光させる駆動(KD＝[011])、及び消灯させる駆動(KD＝[000],[001],[010])の内のいずれか一方が実行される。一方、ディザ加算画素データＫＤが［１００］以上の高輝度を表す場合には、図１９に示す如く、隣接する４個の表示ライン各々毎に、その表示ライン上の画素セルが発光状態となるサブフィールドの数が異なる、いわゆるラインディザ処理有りの駆動(KD＝[100],[101],[110])が為される。この際、上記サブフィールド群ＳＧ３内では、図１４に示す如く、全サブフィールドで画素セルを発光させる駆動(KD＝[101],[110])、及び隣接する４個の表示ライン各々毎にその表示ライン上の画素セルが発光状態となるサブフィールドの数が異なる駆動(KD＝[100]）の内のいずれか一方が実行される。つまり、サブフィールドＳＦ３１〜ＳＦ３４からなるサブフィールド群ＳＧ３が、ラインディザ処理無し駆動時における階調と、ラインディザ処理有り駆動時における階調との繋ぎを為す階調歪補正サブフィールド群となる。
【０１３７】
かかる駆動によれば、図２０〜図２３に示すように、ＳＦ１及びＳＦ２によるラインディザ処理無し駆動によって表現される輝度（輝度レベル「１２」）と、ＳＦ３１〜ＳＦ３４によるラインディザ処理無し駆動によって表現される輝度（輝度レベル「１５」又は「１８」）との輝度差は、いずれの表示ラインに属する画素セルでも「３」となる。よって、低輝度を表現する階調（ラインディザ処理無し）及びこの階調よりも高輝度を表現する階調（ラインディザ処理有り）間での輝度差を、いずれの表示ラインに属する画素セルにおいても同一にすることができる。これにより、表示ノイズの低減された高品質な画像表示が可能になる。
【０１３８】
以上の如く、図１１に示されるプラズマディスプレイ装置は、入力映像信号の平均輝度レベルが所定の基準輝度レベルより高い場合には、ＰＤＰ１００に対して、図１２に示す第１発光駆動シーケンスに従った図１４〜図１８の如き駆動（以下、第１ラインディザ駆動と称する）を実施する。一方、入力映像信号の平均輝度レベルが上記基準輝度レベルより低い場合には、ＰＤＰ１００に対して、図１３に示す如き第２発光駆動シーケンスに従った図１９〜図２３の如き駆動（以下、第２ラインディザ駆動と称する）を実施する。
【０１３９】
この際、上記第１ラインディザ駆動では、図１４に示す如く、サブフィールドＳＦ２１〜ＳＦ２４からなるサブフィールド群ＳＧ２が、ラインディザ処理無し駆動時における階調と、ラインディザ処理有り駆動時における階調との繋ぎを為す階調歪補正サブフィールド群となる。一方、上記第２ラインディザ駆動では、図１９に示す如く、サブフィールド群ＳＧ２よりも高輝度表示を担うサブフィールドＳＦ３１〜ＳＦ３４なるサブフィールド群ＳＧ３が、ラインディザ処理無し駆動時における階調と、ラインディザ処理有り駆動時における階調との繋ぎを為す階調歪補正サブフィールド群となる。
【０１４０】
ここで、プラズマディスプレイ装置では、電力消費を抑えるべく、入力映像信号の平均輝度レベルが所定輝度レベルよりも高い場合には低い場合に比して、各サブフィールドに割り当てる発光維持期間を短縮させるべき制御が為される。この際、プラズマディスプレイ装置においては、各サブフィールド毎に、そのサブフィールドのサスティン行程にて上記発光維持期間に亘りサスティンパルスを繰り返し各画素セルに印加して画素セルを繰り返しサスティン放電させることにより、その放電に伴う発光状態を維持するようにしている。従って、割り当てられている発光維持期間が短いサブフィールド群ＳＧ２に対して、更にその発光維持期間を短かくすべき制御を行うと、サブフィールド群ＳＧ２を４つのサブフィールドＳＦ２１〜ＳＦ２４にて構築することができなくなる場合がある。例えば、入力映像信号の平均輝度レベルが所定輝度レベルよりも高い場合には、サブフィールド群ＳＧ２に割り当てるべき発光維持期間を「８」から「３」に短縮させるべき制御を実施するものとする。この際、サスティンパルス１回分の印加が発光維持期間「１」に対応していると、上記の如き発光維持期間「３」に対応したサスティンパルスの印加回数は「３」となるが、これを４つのサブフィールドＳＦ２１〜ＳＦ２４各々に分割して割り当てることはできない。
【０１４１】
そこで、図１１に示すプラズマディスプレイ装置では、入力映像信号の平均輝度レベルが高い場合には、ラインディザ処理無し駆動時における階調とラインディザ処理有り駆動時における階調との繋ぎを為す階調歪補正サブフィールド群を、ＳＧ２よりも高輝度表示を担うサブフィールド群ＳＧ３に変更するようにしたのである。サブフィールド群ＳＧ３はＳＧ２に比して割り当てられる発光維持期間が長いので、その分だけ印加すべきサスティンパルスの回数も多い。よって、サブフィールド群ＳＧ３に割り当てられている発光維持期間が短縮されても、その発光維持期間に対応したサスティンパルスの印加回数を４分割して、サブフィールド群ＳＧ３を為す４つのサブフィールドＳＦ３１〜ＳＦ３４各々に割り当てることが可能になる。
【図面の簡単な説明】
【０１４２】
【図１】サブフィールド法に基づく発光駆動シーケンスの一例を示す図である。
【図２】図１に示される発光駆動シーケンスに基づく１フィールド期間内での発光駆動パターンの一例を示す図である。
【図３】本発明による表示パネルの駆動方法に基づいてプラズマディスプレイパネルを駆動するプラズマディスプレイ装置の概略構成を示す図である。
【図４】ディザマトリクス回路２２０にて生成されるディザ値の一例を示す図である。
【図５】本発明による表示パネルの駆動方法に基づく１フレーム表示期間内での発光パターンを示す図である。
【図６】本発明による表示パネルの駆動方法に基づく発光駆動シーケンスの一例を示す図である。
【図７】第（４Ｎ−３）表示ラインに属する４つの画素セルにおける各サブフィールド毎の平均発光期間を示す図である。
【図８】第（４Ｎ−２）表示ラインに属する４つの画素セルにおける各サブフィールド毎の平均発光期間を示す図である。
【図９】第（４Ｎ−１）表示ラインに属する４つの画素セルにおける各サブフィールド毎の平均発光期間を示す図である。
【図１０】第（４Ｎ）表示ラインに属する４つの画素セルにおける各サブフィールド毎の平均発光期間を示す図である。
【図１１】本発明による表示パネルの駆動方法に基づいてプラズマディスプレイパネルを駆動するプラズマディスプレイ装置の他の構成を示す図である。
【図１２】図１１に示されるプラズマディスプレイ装置においてＰＤＰ１００を駆動する際に用いられる第１発光駆動シーケンスを示す図である。
【図１３】図１１に示されるプラズマディスプレイ装置においてＰＤＰ１００を駆動する際に用いられる第２発光駆動シーケンスを示す図である。
【図１４】第１発光駆動シーケンスに基づく発光駆動パターンを示す図である。
【図１５】図１４に示される駆動を実施した際の、第（４Ｎ−３）表示ラインに属する４つの画素セルにおける各サブフィールド毎の平均発光期間の一例を示す図である。
【図１６】図１４に示される駆動を実施した際の、第（４Ｎ−２）表示ラインに属する４つの画素セルにおける各サブフィールド毎の平均発光期間の一例を示す図である。
【図１７】図１４に示される駆動を実施した際の、第（４Ｎ−１）表示ラインに属する４つの画素セルにおける各サブフィールド毎の平均発光期間の一例を示す図である。
【図１８】図１４に示される駆動を実施した際の、第（４Ｎ）表示ラインに属する４つの画素セルにおける各サブフィールド毎の平均発光期間の一例を示す図である。
【図１９】図１３に示される第２発光駆動シーケンスに基づく発光駆動パターンを示す図である。
【図２０】図１９に示される駆動を実施した際の、第（４Ｎ−３）表示ラインに属する４つの画素セルにおける各サブフィールド毎の平均発光期間の一例を示す図である。
【図２１】図１９に示される駆動を実施した際の、第（４Ｎ−２）表示ラインに属する４つの画素セルにおける各サブフィールド毎の平均発光期間の一例を示す図である。
【図２２】図１９に示される駆動を実施した際の、第（４Ｎ−１）表示ラインに属する４つの画素セルにおける各サブフィールド毎の平均発光期間の一例を示す図である。
【図２３】図１９に示される駆動を実施した際の、第（４Ｎ）表示ラインに属する４つの画素セルにおける各サブフィールド毎の平均発光期間の一例を示す図である。
【符号の説明】
【０１４３】
６０    駆動制御回路
９０    平均輝度演算回路
１００  ＰＤＰ
２１０  ラインオフセットデータ生成回路
２２０  ディザマトリクス回路
【図１】
2006047970.tif 000003
【図２】
2006047970.tif 000004
【図３】
2006047970.tif 000005
【図４】
2006047970.tif 000006
【図５】
2006047970.tif 000007
【図６】
2006047970.tif 000008
【図７】
2006047970.tif 000009
【図８】
2006047970.tif 000010
【図９】
2006047970.tif 000011
【図１０】
2006047970.tif 000012
【図１１】
2006047970.tif 000013
【図１２】
2006047970.tif 000014
【図１３】
2006047970.tif 000015
【図１４】
2006047970.tif 000016
【図１５】
2006047970.tif 000017
【図１６】
2006047970.tif 000018
【図１７】
2006047970.tif 000019
【図１８】
2006047970.tif 000020
【図１９】
2006047970.tif 000021
【図２０】
2006047970.tif 000022
【図２１】
2006047970.tif 000023
【図２２】
2006047970.tif 000024
【図２３】
2006047970.tif 000025